(57)【要約】【課題】プラグインユニットの接続状況に応じて、信号の伝送速度を適正化すること。【解決手段】制御装置１１０は、マザーボードとプラグインユニットを制御する。マザーボードは、共通の信号線１０４を介して複数のプラグインユニットと接続可能である。プラグインユニットは、マザーボードから受信した信号のレベル判定を行う。取得部１１１は、共通の信号線１０４を介してマザーボードに接続されているプラグインユニットがマザーボードから受信した信号のレベルが、マザーボードが送信する信号のレベルの切り替わりにより不定となる不定期間の長さの測定結果を取得する。第１制御部１１２は、プラグインユニットがマザーボードから受信した信号のレベル変化時にプラグインユニットがレベル判定の結果を一定にする保護時間の長さを、測定結果に基づいて制御する。第２制御部１１３は、測定結果に基づいて、マザーボードからの送信信号の速度を制御する。【選択図】図１
2016105575.tif 000002
【特許請求の範囲】
【請求項１】
複数の通信装置と接続可能な共用信号線を有する第１通信装置と、前記共用信号線に接続されるとともに前記共用信号線を介して受信した信号の論理レベルの判定を行う第２通信装置と、を制御する制御装置において、
前記第２通信装置から、前記信号のレベルが不定となる不定期間の長さを取得する取得部と、
受信した前記信号の論理レベルを変化させずに維持する保護期間の長さを前記不定期間の長さに基づいて制御する第１制御部と、
前記保護期間の長さに基づいて、前記第１通信装置が前記第２通信装置へ送信する信号の速度を制御する第２制御部と、
を有することを特徴とする制御装置。
【請求項２】
前記取得部は、前記第１通信装置への通信装置の接続があった場合に、前記通信装置の接続の後の前記不定期間の長さを取得することを特徴とする請求項１に記載の制御装置。
【請求項３】
前記取得部は、前記第１通信装置からの通信装置の切断があった場合に、前記通信装置の切断の後の前記不定期間の長さを取得し、
前記第２通信装置は、前記第１通信装置から切断された通信装置と異なる通信装置である
ことを特徴とする請求項１または２に記載の制御装置。
【請求項４】
前記第２通信装置は、前記第１通信装置に接続されている複数の通信装置のうちの前記共用信号線上における前記第１通信装置からの伝送距離が最も小さい通信装置であることを特徴とする請求項１〜３のいずれか一つに記載の制御装置。
【請求項５】
前記第２通信装置は、前記第１通信装置に接続されている複数の通信装置であり、
前記取得部は、前記第２通信装置のそれぞれについて前記不定期間の長さを取得し、
前記第１制御部は、前記取得部によって取得された前記不定期間の長さのうちの最長の長さに基づいて、前記保護期間の長さを制御し、
前記第２制御部は、前記保護期間の長さに基づいて、前記第１通信装置が前記第２通信装置へ送信する信号の速度を制御する
ことを特徴とする請求項１〜３のいずれか一つに記載の制御装置。
【請求項６】
前記取得部は、前記不定期間の長さの複数回の測定結果を取得し、
前記第１制御部は、前記取得部によって取得された前記測定結果が示す前記不定期間の長さのうちの最長の長さに基づいて、前記保護期間の長さを制御し、
前記第２制御部は、前記保護期間の長さに基づいて、前記第１通信装置が前記第２通信装置へ送信する信号の速度を制御する
ことを特徴とする請求項１〜５のいずれか一つに記載の制御装置。
【請求項７】
前記共用信号線には前記第１通信装置を複数接続可能であり、
前記取得部は、前記共用信号線に接続された前記第１通信装置のそれぞれについて前記不定期間の長さを取得し、
前記第１制御部は、前記取得部によって取得された前記不定期間の長さのうちの、前記第２通信装置へ信号を送信する前記第１通信装置についての不定期間の長さに基づいて前記保護期間の長さを制御し、
前記第２制御部は、前記第２通信装置へ信号を送信する前記第１通信装置についての不定期間の長さに基づく前記保護期間の長さに応じて、前記第１通信装置が前記第２通信装置へ送信する信号の速度を制御する
ことを特徴とする請求項１〜６のいずれか一つに記載の制御装置。
【請求項８】
前記共用信号線には前記第１通信装置を複数接続可能であり、
前記取得部は、前記共用信号線に接続された前記第１通信装置のそれぞれについて前記不定期間の長さを取得し、
前記第１制御部は、前記取得部によって取得された前記不定期間の長さのうちの最長の長さに基づいて前記保護期間の長さを制御し、
前記第２制御部は、前記第２通信装置へ信号を送信する前記第１通信装置についての不定期間の長さに基づく前記保護期間の長さに応じて、前記第１通信装置が前記第２通信装置へ送信する信号の速度を制御する
ことを特徴とする請求項１〜６のいずれか一つに記載の制御装置。
【請求項９】
複数の通信装置と接続可能な共用信号線を有する第１通信装置と、
前記共用信号線に接続されるとともに前記共用信号線を介して受信した信号の論理レベルの判定を行う第２通信装置と、
前記第２通信装置から、前記信号のレベルが不定となる不定期間の長さを取得し、受信した前記信号の論理レベルを変化させずに維持する保護期間の長さを前記不定期間の長さに基づいて制御し、前記保護期間の長さに基づいて、前記第１通信装置が前記第２通信装置へ送信する信号の速度を制御する制御装置と、
を有することを特徴とする電子機器。
【請求項１０】
複数の通信装置と接続可能な共用信号線を有する第１通信装置と、前記共用信号線に接続されるとともに前記共用信号線を介して受信した信号の論理レベルの判定を行う第２通信装置と、を制御する制御装置の制御方法において、
前記第２通信装置から、前記信号のレベルが不定となる不定期間の長さを取得し、
受信した前記信号の論理レベルを変化させずに維持する保護期間の長さを前記不定期間の長さに基づいて制御し、
前記保護期間の長さに基づいて、前記第１通信装置が前記第２通信装置へ送信する信号の速度を制御する
ことを特徴とする制御方法。
【発明の詳細な説明】
【技術分野】
【０００１】
本発明は、制御装置、電子機器および制御方法に関する。
【背景技術】
【０００２】
従来、伝送装置では、複数のプラグインユニットと、当該プラグインユニットを制御するマザーボードとが、例えばバス配線等、複数のプラグインユニットで共通に使用される共用信号線を介して接続される。前記共用信号線は、マザーボード内で分岐されて複数のプラグインユニットと接続される。
【０００３】
このような共用信号線に発生するノイズに関して、生成したマスクパルスがアクティブの間に、同期分離部の出力に含まれる所定レベル以上のノイズの発生回数を計測する方法が提案されている（例えば、下記特許文献１参照。）。
【０００４】
また、生成した遅延パルスをトリガとして所定時間幅に設定されたマスクパルスを生成することにより、測定したジッタ中のトラックジャンプ位置のノイズを抑圧する装置が提案されている（例えば、下記特許文献２参照。）。
【０００５】
また、光ディスク記録媒体に関するトラッキングエラー信号生成回路において、信号成分であってもノイズ成分に埋もれてしまう可能性が高い部分については２値化を行わないようにする装置が提案されている（例えば、下記特許文献３参照。）。
【先行技術文献】
【特許文献】
【０００６】
【特許文献１】特開平７−１６２８９８号公報
【特許文献２】特開２００７−１１５３５５号公報
【特許文献３】特開２００６−０５３９６８号公報
【発明の概要】
【発明が解決しようとする課題】
【０００７】
上記のような構成において、共用信号線における反射ノイズは、搭載されるプラグインユニットの状況（接続数や接続箇所）に応じて変動する。その結果、搭載されるプラグインユニットの接続状況に応じて、信号のレベルが安定せず論理が確定しない不定期間の長さが変化する。そのため、伝送装置では、不定期間が最も長くなるワーストケースを想定し、ワーストケースにおける不定期間に合わせた制御が行われている。したがって、共用信号線に伝送される信号の伝送速度が、プラグインユニットがどのような接続状況であっても、一律に低く抑えられてしまう、という問題がある。
【０００８】
１つの側面では、本発明は、共用信号線に伝送される信号の伝送速度を、プラグインユニットの接続状況に合わせて適正化することを目的とする。
【課題を解決するための手段】
【０００９】
本発明の一側面によれば、複数の通信装置と接続可能な共用信号線を有する第１通信装置と、前記共用信号線に接続されるとともに前記共用信号線を介して受信した信号の論理レベルの判定を行う第２通信装置と、を制御し、前記第２通信装置から、前記信号のレベルが不定となる不定期間の長さを取得し、受信した前記信号の論理レベルを変化させずに維持する保護期間の長さを前記不定期間の長さに基づいて制御し、前記保護期間の長さに基づいて、前記第１通信装置が前記第２通信装置へ送信する信号の速度を制御する、制御装置、電子機器および制御方法が提案される。
【発明の効果】
【００１０】
本発明の一態様によれば、共用信号線に伝送される信号の伝送速度を、プラグインユニットの接続状況に合わせて適正化することができる。
【図面の簡単な説明】
【００１１】
【図１】図１は、実施の形態１にかかる伝送装置の構成の一例を示す図である。
【図２】図２は、実施の形態２にかかる伝送装置の装置構成の一例を示す図である。
【図３】図３は、実施の形態２にかかる伝送装置の回路構成の一例を示す図である。
【図４】図４は、動作モード設定回路における動作モードの状態遷移の一例を示す図である。
【図５】図５は、実施の形態２の送信端回路が送信する信号の波形および受信端回路が受信する信号の波形の一例を示す図である。
【図６】図６は、サンプリング回路および連続一致保護回路のハードウェア構成の一例を示す図である。
【図７】図７は、不定領域測定回路の動作の一例を示すフローチャートである。
【図８】図８は、受信端回路の動作の一例を示すタイミングチャートである。
【図９】図９は、実施の形態２にかかるクロック生成回路の動作の一例を示すフローチャートである。
【図１０】図１０は、受信端回路が切断された場合の反射ノイズの一例を示す図である。
【図１１】図１１は、受信端回路が接続された場合の反射ノイズの一例を示す図である。
【図１２】図１２は、実施の形態２の信号波形および従来の信号波形の比較例を示す図である。
【図１３】図１３は、入力信号の不定期間を特定する動作の変形例１を示すフローチャートである。
【図１４】図１４は、入力信号の不定期間を特定する動作の変形例２を示すフローチャートである。
【図１５】図１５は、実施の形態３にかかる伝送装置の回路構成の一例を示す図である。
【図１６】図１６は、実施の形態３の送信端回路が送信する信号の波形および受信端回路が受信する信号の波形の一例を示す図である。
【図１７】図１７は、サンプリング回路、ラッチ回路およびマスクパルス生成回路のハードウェア構成の一例を示す図である。
【図１８】図１８は、実施の形態３にかかるクロック生成回路の動作の一例を示すフローチャートである。
【図１９】図１９は、実施の形態３の信号波形および従来の信号波形の比較例を示す図である。
【図２０】図２０は、実施の形態４にかかる伝送装置の回路構成の一例を示す図である。
【図２１】図２１は、実施の形態５にかかる伝送装置の一例を示す図である。
【図２２】図２２は、実施の形態５にかかる伝送装置の装置構成の一例を示す図である。
【図２３】図２３は、実施の形態５にかかる伝送装置の回路構成の一例を示す図である。
【図２４】図２４は、実施の形態５にかかる送信端回路ごとの不定期間の測定結果の一例を示す図である。
【図２５】図２５は、実施の形態５にかかる送信端回路ごとの伝送速度の計算結果の一例を示す図である。
【図２６】図２６は、実施の形態５にかかる動作モード設定回路の動作の一例を示すフローチャートである。
【図２７】図２７は、実施の形態５にかかる測定結果記憶回路の動作の一例を示すフローチャートである。
【図２８】図２８は、実施の形態５にかかる測定結果選択回路の一例を示す図である。
【図２９】図２９は、実施の形態５にかかる伝送装置の回路構成の他の一例を示す図である。
【図３０】図３０は、実施の形態５にかかる伝送装置の回路構成のさらに他の一例を示す図である。
【図３１】図３１は、実施の形態５にかかる測定結果選択記憶回路の動作の一例を示すフローチャートである。
【発明を実施するための形態】
【００１２】
以下に図面を参照して、開示技術の好適な実施の形態１〜５を詳細に説明する。
【００１３】
（実施の形態１）
（実施の形態１にかかる伝送装置の構成の一例）
図１は、実施の形態１にかかる伝送装置の構成の一例を示す図である。伝送装置１００は、第１通信装置１０１と、第２通信装置１０２と、制御装置１１０と、を有する電子機器である。
【００１４】
第１通信装置１０１には、複数の通信装置を共通の信号線１０４を介して接続可能である。共通の信号線１０４は、第１通信装置１０１や第２通信装置１０２との境界面において反射ノイズが生じる信号線であり、一例としてはバス接続における信号線である。第１通信装置１０１は、一例としてはマザーボードである。図１に示す例では、第１通信装置１０１には、第２通信装置１０２が接続されている。第１通信装置１０１は、第２通信装置１０２に信号を送信する。
【００１５】
第２通信装置１０２は、一例としては、共通の信号線１０４を介して第１通信装置１０１に接続されているプラグインユニットである。第２通信装置１０２は、第１通信装置１０１から受信した信号のレベル判定を行うことにより、第１通信装置１０１からの信号を復調する。レベル判定は、例えば信号のレベルがＨ（Ｈｉｇｈ）レベルおよびＬ（Ｌｏｗ）レベルのいずれであるかの判定である。
【００１６】
ここで、共通の信号線１０４において、特性インピーダンスが異なる第１通信装置１０１や第２通信装置１０２との間の境界面では反射ノイズが発生する。反射ノイズが発生すると、第１通信装置１０１が送信した信号の立ち上がりや立ち下がりなどのレベルが変化する際に、信号の擾乱が生じ、第２通信装置１０２において信号のレベルが不定となる不定期間が生じる。
【００１７】
信号のレベルが不定となる不定期間は、例えば、第１通信装置１０１が一定レベルの信号を送信しているにもかかわらず、第２通信装置１０２が受信した信号のレベルが一定にならない期間である。例えば、第１通信装置１０１に対する通信装置の抜き差しにより第１通信装置１０１に接続される通信装置の数や配置などが変化することによって、バス接続の状態が変化する。このバス接続の状態が変化すると、共通の信号線１０４における反射ノイズが変化し、これにより、第２通信装置１０２における不定期間が変化する。
【００１８】
これに対して、第２通信装置１０２は、第２通信装置１０２が第１通信装置１０１から受信した信号のレベルの変化時に第２通信装置１０２がレベル判定の結果を一定にする期間を設定する。以下において、第２通信装置１０２がレベル判定の結果を一定にする期間を「保護時間」という。例えば、保護時間においては、第２通信装置１０２は、第１通信装置１０１から受信した信号のレベルにかかわらず、第１通信装置１０１から受信した信号のレベルの判定結果として一定のレベルを示す判定結果を出力する。
【００１９】
制御装置１１０は、第１通信装置１０１と第２通信装置１０２とを制御する制御装置である。制御装置１１０は、例えば、第１通信装置１０１および第２通信装置１０２のいずれかに設けられる。または、制御装置１１０は、第１通信装置１０１および第２通信装置１０２とは異なる装置であってもよい。図１に示す例では、制御装置１１０は、第１通信装置１０１および第２通信装置１０２とは異なる装置である。
【００２０】
制御装置１１０は、取得部１１１と、第１制御部１１２と、第２制御部１１３と、を有する。取得部１１１は、共通の信号線１０４を介して第１通信装置１０１に接続された通信装置のうちの所定の通信装置１０２ａにおける不定期間の長さの測定結果を取得する。図１に示す例では、所定の通信装置１０２ａは、第２通信装置１０２である。ただし、所定の通信装置１０２ａは、第２通信装置１０２と異なる通信装置であってもよい。
【００２１】
例えば、取得部１１１は、制御装置１１０が所定の通信装置１０２ａと異なる通信装置である場合、所定の通信装置１０２ａから、所定の通信装置１０２ａにおいて得られた測定結果を受信することにより、測定結果を取得する。測定結果の受信は、共通の信号線１０４を用いてもよいし、共通の信号線１０４とは異なる信号線を用いてもよい。また、取得部１１１は、制御装置１１０が所定の通信装置１０２ａに設けられている場合、自装置である所定の通信装置１０２ａから測定結果を取得する。
【００２２】
また、例えば、取得部１１１は、所定の通信装置１０２ａを宛先として第１通信装置１０１が送信する信号のレベルの切り替わりによる不定期間の長さの測定結果を取得する。また、取得部１１１は、共通の信号線１０４を介して第１通信装置１０１に接続されている他の通信装置を宛先として第１通信装置１０１が送信する信号のレベルの切り替わりによる所定の通信装置１０２ａにおける不定期間の長さの測定結果を取得してもよい。上述した第１通信装置１０１が送信する信号は、例えば、データ信号であってもよいし、測定用の信号であってもよい。
【００２３】
第１制御部１１２は、取得部１１１によって取得された測定結果に基づいて第２通信装置１０２の保護時間の長さを制御する。例えば、第１制御部１１２は、取得部１１１によって取得された測定結果が示す不定期間の長さが短いほど、保護時間の長さを短くする。
【００２４】
例えば、第１制御部１１２は、制御装置１１０が第２通信装置１０２と異なる通信装置である場合、第２通信装置１０２へ制御信号を送信することにより第２通信装置１０２の保護時間の長さを制御する。制御信号は、例えば保護時間の調整量を含み該調整量により保護時間の調整を指示する信号である。または、制御信号は、測定結果を含み測定結果に応じた保護時間の調整を指示する信号でもよい。制御信号の送信は、共通の信号線１０４を用いてもよいし、共通の信号線１０４とは異なる信号線を用いてもよい。
【００２５】
第２制御部１１３は、取得部１１１によって取得された測定結果に基づいて、第１通信装置１０１が第２通信装置１０２へ送信する信号の速度を制御する。また、例えば、第２制御部１１３は、取得部１１１によって取得された測定結果が示す不定期間の長さが短いほど、第１通信装置１０１が第２通信装置１０２へ送信する信号を高速にする。
【００２６】
例えば、第１通信装置１０１がクロック信号の周波数に応じた速度のデータ信号を送信する場合には、第２制御部１１３は、クロック信号の周波数を調整することによって第１通信装置１０１が第２通信装置１０２へ送信する信号の速度を制御できる。
【００２７】
例えば、第２制御部１１３は、制御装置１１０が第１通信装置１０１と異なる通信装置である場合、第１通信装置１０１へ制御信号を送信することにより第１通信装置１０１のクロック信号の速度を制御する。制御信号は、例えばクロック信号の調整量を含み該調整量によりクロック信号の調整を指示する信号である。または、制御信号は、測定結果を含み測定結果に応じたクロック信号の調整を指示する信号でもよい。制御信号の送信は、共通の信号線１０４を用いてもよいし、共通の信号線１０４とは異なる信号線を用いてもよい。
【００２８】
このように、実施の形態１にかかる制御装置１１０は、不定期間の測定結果を取得し、取得した不定期間の測定結果に応じて、第２通信装置１０２における保護時間と第１通信装置１０１における信号の送信速度とを制御する。これにより、第１通信装置１０１に対して共通の信号線１０４を介して接続された通信装置の数や配置などにより変化する不定期間に応じた保護時間を第２通信装置１０２に設定することができる。
【００２９】
したがって、例えば最長の期間を想定して保護時間を予め長く設定する構成に比べて、保護時間を短く設定し、設定した短い保護時間に合わせて第１通信装置１０１からの信号を高速にすることができる。このため、伝送速度の向上を図ることができる。
【００３０】
（測定結果の取得および各制御のタイミングについて）
次に、測定結果の取得および各制御のタイミングについて説明する。取得部１１１は、例えば、第１通信装置１０１への通信装置の接続があった場合に、通信装置の接続の後の測定結果を取得する。例えば、取得部１１１は、第１通信装置１０１への通信装置の接続を検出すると、通信装置の接続の後における不定期間の測定結果を取得する。
【００３１】
また、取得部１１１は、第１通信装置１０１からの通信装置の切断があった場合に、通信装置の切断の後の測定結果を取得してもよい。例えば、取得部１１１は、第１通信装置１０１からの通信装置の切断を検出すると、通信装置の切断の後における不定期間の測定結果を取得する。この場合、第２通信装置１０２および所定の通信装置１０２ａは、第１通信装置１０１から切断された通信装置と異なる通信装置である。
【００３２】
これにより、第１通信装置１０１に対して共通の信号線１０４を介して接続された通信装置の数や配置などが変化した場合に、変化後の不定期間の測定結果を迅速に取得することができる。このため、第１通信装置１０１に対して共通の信号線１０４を介して接続された通信装置の数や配置などが変化した場合に、変化後の不定期間に応じた保護時間と信号の送信速度とを迅速に設定することができる。これにより、例えば、不定期間が長くなった場合に保護時間の長さが不足して誤判定が生じることを回避できる。また、不定期間が短くなった場合に信号の伝送速度を向上させることができる。
【００３３】
ただし、測定結果の取得および各制御のタイミングはこれに限らない。例えば、取得部１１１は、第１通信装置１０１への通信装置の接続や切断があってから所定期間が経過した場合に、測定結果を取得してもよい。または、取得部１１１は、測定結果の取得を指示するユーザからの操作があった場合に測定結果を取得してもよい。
【００３４】
（不定期間について）
次に、不定期間について説明する。取得部１１１は、例えば、第１通信装置１０１が送信する信号の立ち上がりによる不定期間の長さの測定結果と、第１通信装置１０１が送信する信号の立ち下がりによる不定期間の長さの測定結果と、を取得する。
【００３５】
この場合、第１制御部１１２は、第１通信装置１０１が送信する信号の立ち上がりによる不定期間の長さの測定結果に基づいて、第２通信装置１０２が受信する信号の立ち上がりにおける保護時間の長さを制御する。また、第１制御部１１２は、第１通信装置１０１が送信する信号の立ち下がりによる不定期間の長さの測定結果に基づいて、第２通信装置１０２が受信する信号の立ち下がりにおける保護時間の長さを制御する。
【００３６】
また、例えば、第２制御部１１３は、第１通信装置１０１が送信する信号の立ち上がりによる不定期間の長さの測定結果に基づいて、第１通信装置１０１が第２通信装置１０２へ送信する信号に用いられるクロック信号のＨレベルの期間を制御する。また、第２制御部１１３は、第１通信装置１０１が送信する信号の立ち下がりによる不定期間の長さの測定結果に基づいて、第１通信装置１０１が第２通信装置１０２へ送信する信号に用いられるクロック信号のＬレベルの期間を制御する。
【００３７】
ただし、取得部１１１は、第１通信装置１０１が送信する信号の立ち上がりによる不定期間の長さの測定結果と、第１通信装置１０１が送信する信号の立ち下がりによる不定期間の長さの測定結果と、のうちのいずれか一方の測定結果を取得してもよい。
【００３８】
この場合、第１制御部１１２は、取得部１１１によって取得された一方の測定結果に基づいて、第２通信装置１０２が受信する信号の立ち上がりおよび立ち下がりにおける保護時間の長さを制御する。また、第２制御部１１３は、取得部１１１によって取得された一方の測定結果に基づいて、第１通信装置１０１が第２通信装置１０２へ送信する信号の速度を制御する。
【００３９】
（第２通信装置１０２が連続一致保護回路を用いてレベル判定を行う場合について）
次に、第２通信装置１０２が連続一致保護回路を用いてレベル判定を行う場合について説明する。連続一致保護回路を有する第２通信装置１０２は、第２通信装置１０２が受信した信号のレベルが第１レベルから第２レベルに変化してから、当該信号のレベルが所定期間の間連続して第２レベルとなるまでレベル判定の結果を第１レベルにする。第１レベルと第２レベルとは異なるレベルである。例えば、第１レベルがＨレベルであれば、第２レベルはＬレベルである。また、第１レベルがＬレベルであれば、第２レベルはＨレベルである。
【００４０】
この場合における保護時間は、例えば、連続一致保護時間である。例えば、第２通信装置１０２は、第２通信装置１０２が受信した信号のレベルが第１レベルから第２レベルに変化してから所定期間の間連続して第２レベルとなるまで、受信した信号のレベルにかかわらずレベル判定の結果を第１レベルにする。
【００４１】
そして、第２通信装置１０２は、所定期間の経過後には、第２通信装置１０２が受信した信号のレベルに応じたレベル判定を行う。例えば、第２通信装置１０２は、所定期間の経過後には、第２通信装置１０２が受信した信号のレベルが第１レベルであれば第１レベルであると判定する。また、第２通信装置１０２は、所定期間の経過後には、第２通信装置１０２が受信した信号のレベルが第２レベルであれば第２レベルであると判定する。第１制御部１１２は、取得部１１１によって取得された測定結果に基づいて、所定期間の長さを制御することにより保護時間を制御する。
【００４２】
（第２通信装置１０２がマスク保護回路を用いてレベル判定を行う場合について）
次に、第２通信装置１０２がマスク保護回路を用いてレベル判定を行う場合について説明する。マスク保護回路を有する第２通信装置１０２は、第２通信装置１０２が受信した信号のレベルが第１レベルから第２レベルに変化してから所定期間が経過するまでレベル判定の結果を第２レベルにする。
【００４３】
この場合における保護時間は、例えばマスク保護時間である。第２通信装置１０２は、第２通信装置１０２が受信した信号のレベルが第１レベルから第２レベルに変化してから所定期間が経過するまでは、受信した信号のレベルにかかわらずレベル判定の結果を第２レベルにする。
【００４４】
そして、第２通信装置１０２は、所定期間の経過後には、第２通信装置１０２が受信した信号のレベルに応じたレベル判定を行う。例えば、第２通信装置１０２は、所定期間の経過後には、第２通信装置１０２が受信した信号のレベルが第１レベルであれば第１レベルであると判定する。また、第２通信装置１０２は、所定期間の経過後には、第２通信装置１０２が受信した信号のレベルが第２レベルであれば第２レベルであると判定する。第１制御部１１２は、取得部１１１によって取得された測定結果に基づいて、所定期間の長さを制御することにより保護時間を制御する。
【００４５】
（取得部１１１が取得する測定結果について）
次に、取得部１１１が取得する測定結果について説明する。取得部１１１は、例えば、一つの所定の通信装置１０２ａにおける、不定期間の長さの複数回の測定の結果を示す測定結果を取得する。この場合、第１制御部１１２は、例えば、取得部１１１によって取得された測定結果が示す不定期間の長さのうちの最長の長さに基づいて、第２通信装置１０２における保護時間の長さを制御する。
【００４６】
また、第２制御部１１３は、例えば、取得部１１１によって取得された測定結果が示す不定期間の長さのうちの最長の長さに基づいて、第１通信装置１０１が第２通信装置１０２へ送信する信号の速度を制御する。これにより、最も長い不定期間の長さに応じた保護時間および信号の速度にすることができる。このため、信号レベルの誤判定をより抑えつつ、伝送速度を向上させることができ、通信品質を向上させることができる。
【００４７】
また、共通の信号線１０４上における第１通信装置１０１からの伝送距離が最も小さい通信装置は、反射ノイズの影響を最も受けやすく、信号の擾乱が生じる期間が長くなりやすいため、不定期間が長くなる。そのため、例えば、所定の通信装置１０２ａは、第１通信装置１０１に接続されている複数の通信装置のうちの共通の信号線１０４上における第１通信装置１０１からの伝送距離が最も小さい通信装置としてもよい。これにより、最も長い不定期間の長さに応じた保護時間および信号の速度にすることができる。このため、信号レベルの誤判定をより抑えつつ、伝送速度を向上させることができ、通信品質を向上させることができる。
【００４８】
また、所定の通信装置１０２ａが第１通信装置１０１に接続されている複数の通信装置である場合、取得部１１１は、所定の通信装置１０２ａのそれぞれについて不定期間の長さの測定結果を取得してもよい。この場合、第１制御部１１２は、例えば、取得部１１１によって取得された測定結果が示す不定期間の長さのうちの最長の長さに基づいて、第２通信装置１０２における保護時間の長さを制御する。
【００４９】
また、第２制御部１１３は、例えば、取得部１１１によって取得された測定結果が示す不定期間の長さのうちの最長の長さに基づいて、第１通信装置１０１が第２通信装置１０２へ送信する信号の速度を制御する。これにより、最も長い不定期間の長さに応じた保護時間および信号の速度にすることができる。このため、信号レベルの誤判定をより抑えつつ、伝送速度を向上させることができ、通信品質を向上させることができる。
【００５０】
（実施の形態２）
次に、伝送装置１００（電子機器）の実施の形態２について説明する。実施の形態２では、連続一致保護回路３０４を用いて連続一致保護時間を設定する場合について、詳細に説明する。また、実施の形態２においては、実施の形態１に示した第１通信装置１０１をマザーボードの送信端回路によって実現し、実施の形態１に示した第２通信装置１０２をプラグインユニットの受信端回路によって実現する場合について説明する。また、実施の形態２においては、実施の形態１に示した所定の通信装置１０２ａおよび制御装置１１０をプラグインユニットの受信端回路によって実現する場合について説明する。
【００５１】
（実施の形態２にかかる伝送装置の装置構成の一例）
図２は、実施の形態２にかかる伝送装置の装置構成の一例を示す図である。図２に示すように、伝送装置１００は、マザーボード２１０と、複数のプラグインユニット２２０（２２０ａ〜２２０ｊ）と、を有する。マザーボード２１０は、送信端回路２１１と、伝送路２１２と、複数のコネクタ２１３（２１３ａ〜２１３ｊ）と、を有する。
【００５２】
送信端回路２１１は、送信信号を生成し、生成した送信信号を各プラグインユニット２２０に送信する回路である。伝送路２１２は、送信端回路２１１と、各プラグインユニット２２０とを接続し、相互間で信号を伝送するバスである。
【００５３】
伝送路２１２は、共通の信号線２１２ａと、個別の信号線２１２ｂと、を有する。共通の信号線２１２ａは、例えば、送信端回路２１１からプラグインユニット２２０の受信端回路２２１（２２１ａ〜２２１ｊ）へデータ信号を送る信号線である。図１に示した共通の信号線１０４は、共通の信号線２１２ａによって実現することができる。
【００５４】
個別の信号線２１２ｂは、各プラグインユニット２２０に割り当てられる。個別の信号線２１２ｂは、例えば、共通の信号線２１２ａを介して送信端回路２１１から送信されたデータ信号のレベルが各受信端回路２２１において不定となる不定期間の測定結果を、各受信端回路２２１から送信端回路２１１へ送る信号線である。図２において、個別の信号線２１２ｂは、各プラグインユニット２２０に割り当てられるが、各プラグインユニット２２０に共通としてもよい。
【００５５】
コネクタ２１３（２１３ａ〜２１３ｊ）は、マザーボード２１０上に、例えば１０個配置されている。コネクタ２１３は、それぞれプラグインユニット２２０のコネクタ２２２（２２２ａ〜２２２ｊ）と接続可能な接続部である。
【００５６】
プラグインユニット２２０は、受信端回路２２１と、コネクタ２２２と、を有する。受信端回路２２１は、マザーボード２１０からの信号を受信する回路である。コネクタ２２２は、マザーボード２１０のコネクタ２１３と接続可能な接続部である。
【００５７】
プラグインユニット２２０は、マザーボード２１０に対して、着脱自在である。例えば、プラグインユニット２２０は、伝送装置１００の運用中に、マザーボード２１０に接続されたり、マザーボード２１０と切断されたりする。例えば、プラグインユニット２２０は、マザーボード２１０に対して最大で１０個接続される。プラグインユニット２２０は、例えば、光モジュールによって実現することができる。
【００５８】
（実施の形態２にかかる伝送装置の回路構成の一例）
図３は、実施の形態２にかかる伝送装置の回路構成の一例を示す図である。図３に示すように、プラグインユニット２２０の受信端回路２２１は、サンプリング回路３０１と、動作モード設定回路３０２と、不定領域測定回路３０３と、連続一致保護回路３０４と、を有する。マザーボード２１０の送信端回路２１１は、クロック生成回路３１１と、出力信号生成回路３１２と、を有する。
【００５９】
サンプリング回路３０１は、送信端回路２１１の送信端Ａから出力された信号をサンプリングして、サンプリング後の入力信号を連続一致保護回路３０４および不定領域測定回路３０３へ出力する。
【００６０】
動作モード設定回路３０２は、「不定領域測定中」または「不定領域非測定中」のいずれか一方の動作モードをとる。動作モード設定回路３０２は、例えばプラグインユニット２２０が装着または離脱されたことを示す増減通知等の測定開始通知を受信すると、「不定領域非測定中」から「不定領域測定中」の動作モードに遷移する。動作モード設定回路３０２は、例えば、「不定領域非測定中」から「不定領域測定中」の動作モードに遷移すると、動作モードを示す動作モード信号を不定領域測定回路３０３へ出力する。
【００６１】
不定領域測定回路３０３は、動作モード設定回路３０２から出力された動作モード信号が示す動作モードが「不定領域測定中」である場合、サンプリング回路３０１から出力されたサンプリング後の入力信号を用いて、入力信号の不定期間Ｔｒ，Ｔｆを測定する。
【００６２】
ここで、各受信端回路２２１の受信端Ｂでは、送信端回路２１１および受信端回路２２１の、特性インピーダンスが異なる２つの異なる部品間の境界面において反射ノイズが発生する。各受信端回路２２１の受信端Ｂにおいて発生する反射ノイズは、複合波となり複雑に擾乱する。例えば、信号値の変化時に、反射ノイズによって擾乱が生じる期間では、信号のレベルが不定となる。このため、擾乱が生じる期間によって入力信号の不定期間Ｔｒおよび入力信号の不定期間Ｔｆの各期間が変わる。
【００６３】
入力信号の不定期間Ｔｒは、受信した信号の立ち上がりにおいて信号のレベルが不定となる期間である。入力信号の不定期間Ｔｆは、受信した信号の立ち下がりにおいて信号のレベルが不定となる期間である。Ｈレベル保護時間は、例えば入力信号の不定期間Ｔｒと同等の期間である。Ｌレベル保護時間は、例えば入力信号の不定期間Ｔｆと同等の期間である。
【００６４】
不定領域測定回路３０３は、入力信号の不定期間Ｔｒ，Ｔｆの測定が完了すると、動作モード設定回路３０２に測定完了通知を送信する。動作モード設定回路３０２は、不定領域測定回路３０３から測定完了通知を受信すると、「不定領域測定中」の動作モードから「不定領域非測定中」の動作モードに遷移する。また、不定領域測定回路３０３は、入力信号の不定期間Ｔｒ，Ｔｆの測定が完了すると、クロック生成回路３１１および連続一致保護回路３０４に測定結果を送信する。
【００６５】
連続一致保護回路３０４には、サンプリング回路３０１から出力されたサンプリング後の入力信号と、不定領域測定回路３０３から出力された入力信号の不定期間Ｔｒ，Ｔｆの測定結果と、が入力される。連続一致保護回路３０４は、不定領域測定回路３０３から出力された測定結果を用いて、サンプリング回路３０１から出力されたサンプリング後の入力信号の連続一致保護を行って、連続一致保護後の信号を後段の信号処理回路へ出力する。
【００６６】
連続一致保護回路３０４は、不定領域測定回路３０３によって測定された入力信号の不定期間Ｔｒおよび入力信号の不定期間Ｔｆを用いて、Ｈレベルの連続一致保護時間およびＬレベルの連続一致保護時間を設定する。以下において、Ｈレベルの連続一致保護時間を「Ｈレベル保護時間」と称する。また、Ｌレベルの連続一致保護時間を「Ｌレベル保護時間」と称する。
【００６７】
連続一致保護回路３０４は、Ｈレベル保護時間の経過前に信号を受信した場合にＬレベルを出力し、Ｈレベル保護時間の経過後にＨレベルの信号を受信した場合にＨレベルを出力する。また、連続一致保護回路３０４は、Ｌレベル保護時間の経過前に信号を受信した場合にＨレベルを出力し、Ｌレベル保護時間の経過後にＬレベルの信号を受信した場合にＬレベルを出力する。連続一致保護回路３０４は、連続一致保護後の信号を後段の信号処理回路へ出力する。
【００６８】
連続一致保護回路３０４は、不定領域測定回路３０３から入力信号の不定期間Ｔｒの測定結果を受信すると、受信した測定結果を用いて、Ｈレベル保護時間を制御する。連続一致保護回路３０４は、不定領域測定回路３０３から入力信号の不定期間Ｔｆの測定結果を受信すると、受信した測定結果を用いて、Ｌレベル保護時間を制御する。
【００６９】
このような連続一致保護回路３０４により、信号の擾乱が生じる入力信号の不定期間Ｔｒ，Ｔｆにおける信号レベルの判定において、レベルを切り替えないようにすることができる。このため、信号レベルの誤判定を抑えることができ、受信端回路２２１の誤動作を抑えることができる。
【００７０】
また、クロック生成回路３１１は、不定領域測定回路３０３から入力信号の不定期間Ｔｒ，Ｔｆの測定結果を受信すると、受信した測定結果を用いて、クロックの速度を制御する。クロック生成回路３１１は、測定結果を用いて制御した速度のクロックを生成し、生成したクロックを出力信号生成回路３１２に送信する。
【００７１】
出力信号生成回路３１２は、クロック生成回路３１１によって生成されたクロックを用いて信号を生成し、生成した信号をサンプリング回路３０１へ出力する。例えば、出力信号生成回路３１２は、クロック生成回路３１１によって生成されたクロックを出力する、または出力しない、ことにより、信号を生成する。例えば、出力信号生成回路３１２は、「１」のデータを送信する場合はクロック信号を出力し、「０」のデータを送信する場合は、クロック信号を出力しないようにする。
【００７２】
このように、伝送装置１００は、入力信号の不定期間Ｔｒ，Ｔｆの測定結果に応じた信号の速度とすることができる。このため、送信端回路２１１が受信端回路２２１へ送信する信号の伝送速度を向上できる。
【００７３】
図１に示した取得部１１１は、例えば不定領域測定回路３０３によって実現される。また、図１に示した第１制御部１１２は、連続一致保護回路３０４によって実現される。また、図１に示した第２制御部１１３は、不定領域測定回路３０３によって実現される。例えば、不定領域測定回路３０３が、入力信号の不定期間Ｔｒ，Ｔｆを含み測定結果に応じたクロック信号の調整を指示する信号をクロック生成回路３１１へ送信することにより、第２制御部１１３の機能を実現する。
【００７４】
（動作モード設定回路における動作モードの状態遷移の一例）
図４は、動作モード設定回路における動作モードの状態遷移の一例を示す図である。図４の状態遷移図４００に示すように、動作モード設定回路３０２は、不定領域非測定中と、不定領域測定中と、のいずれか一方の動作モードをとる。動作モード設定回路３０２は、例えばステートマシンによって実現される。
【００７５】
動作モード設定回路３０２は、不定領域非測定中の動作モードにおいて、遷移条件として、例えば不図示のＣＰＵ（Ｃｅｎｔｒａｌ  Ｐｒｏｃｅｓｓｉｎｇ  Ｕｎｉｔ）から測定開始通知を受信すると、不定領域測定中の動作モードに遷移する。測定開始通知は、例えば、マザーボード２１０とプラグインユニット２２０との接続または切断をＣＰＵが検出することによりＣＰＵから送信される。また、動作モード設定回路３０２は、不定領域測定中の動作モードにおいて、遷移条件として不定領域測定回路３０３から測定完了通知を受信すると、不定領域非測定中の動作モードに遷移する。
【００７６】
ここで、連続一致保護回路３０４を用いた場合における信号の伝送速度Ｔｈは、下記（１）式で算出される。
【００７７】
Ｔｈ［ｂｐｓ］＝１／（Ｔｒ［Ｓ］＋Ｈレベル保護時間［Ｓ］＋Ｔｆ［Ｓ］＋Ｌレベル保護時間［Ｓ］＋マージン［Ｓ］）…（１）
【００７８】
上記（１）式について、図５を用いて説明する。
【００７９】
（実施の形態２の送信端回路が送信する信号の波形および受信端回路が受信する信号の波形の一例）
図５は、実施の形態２の送信端回路が送信する信号の波形および受信端回路が受信する信号の波形の一例を示す図である。図５において出力信号５０１は、送信端回路２１１の送信端Ａにおける出力信号の論理値を示している。入力信号５０２は、受信端回路２２１の他端の受信端Ｂにおけるサンプリング前の入力信号を示している。
【００８０】
受信端回路２２１におけるサンプリング周期はｔである。入力信号５０２において、電圧ＶIL，ＶIHは、サンプリング後の入力信号５０３がＨレベルであるかＬレベルであるかを検出するための基準電圧である。例えば、電圧ＶILは電圧ＶIHよりも低い値である。入力信号５０２が電圧ＶIL〜ＶIHの間にある期間は、入力信号５０３がＬレベルまたはＨレベルのいずれかであるかが定まらない入力信号の不定期間Ｔｒまたは入力信号の不定期間Ｔｆに相当する。
【００８１】
入力信号５０４は、信号値の連続一致保護後の入力信号を示している。入力信号５０４は、Ｌレベルにおいて、入力信号の不定期間Ｔｒ［Ｓ］とＨレベル保護時間［Ｓ］との経過後にＨレベルに切り替わることを示している。Ｈレベル保護時間［Ｓ］は、入力信号の不定期間Ｔｒによって決定される時間である。Ｈレベル保護時間［Ｓ］は、例えば、入力信号の不定期間Ｔｒとほぼ同じ期間であるが、入力信号の不定期間Ｔｒ以上の期間であればよい。
【００８２】
また、入力信号５０４は、レベルＨにおいて、マージン［Ｓ］と、入力信号の不定期間Ｔｆ［Ｓ］と、Ｌレベル保護時間［Ｓ］との経過後にレベルＨからレベルＬに切り替わる。Ｌレベル保護時間［Ｓ］は、入力信号の不定期間Ｔｆによって決定される時間である。Ｌレベル保護時間［Ｓ］は、例えば、入力信号の不定期間Ｔｆとほぼ同じ期間であるが、入力信号の不定期間Ｔｆ以上の期間であればよい。
【００８３】
そして、入力信号５０４は、Ｌレベルにおいて、マージン［Ｓ］と、入力信号の不定期間Ｔｒ［Ｓ］と、Ｈレベル保護時間［Ｓ］との経過後に、ＬレベルからＨレベルに切り替わる。以降、同様にして、入力信号５０４は、ＨレベルとＬレベルとが切り替わる。
【００８４】
（サンプリング回路および連続一致保護回路のハードウェア構成の一例）
図６は、サンプリング回路および連続一致保護回路のハードウェア構成の一例を示す図である。図６に示すように、サンプリング回路３０１は、フリップフロップ（ＦＦ）回路６０１を有する。また、フリップフロップ回路６０１には、受信端Ｂにおける信号が入力される。また、フリップフロップ回路６０１には、サンプリングクロック（ＣＫ）が入力される。
【００８５】
フリップフロップ回路６０１は、例えば、Ｄ入力の値をサンプリングクロックに同期して読み込み、次のサンプリングクロックが入力されるまでの期間、その値を保持する。フリップフロップ回路６０１は、例えば、サンプリングクロックの立ち上がりまたは立ち下がりにおいてＤ入力をラッチする。フリップフロップ回路６０１は、サンプリングした出力信号を連続一致保護回路３０４へ送信する。
【００８６】
連続一致保護回路３０４は、シフトレジスタ６１１と、Ｔｒエンコード部６１２と、Ｔｆエンコード部６１３と、フリップフロップ回路６１４と、複数のＡＮＤ回路ａと、複数のＯＲ回路ｒと、を有する。シフトレジスタ６１１には、フリップフロップ回路６０１からの出力信号が入力される。
【００８７】
また、シフトレジスタ６１１には、サンプリングクロックが入力される。シフトレジスタ６１１は、例えば、複数のフリップフロップ回路を有する。例えば、シフトレジスタ６１１は、各フリップフロップ回路の入力をサンプリングクロックごとに１ｂｉｔシフトさせる。これにより、シフトレジスタ６１１の各フリップフロップ回路では、エッジ検出が１ｂｉｔずれて立ち上がることになる。
【００８８】
シフトレジスタ６１１は、Ｑ１〜Ｑ１０における各出力信号を、それぞれ対応するＯＲ回路ｒ１〜ｒ１０、ＡＮＤ回路ａ１〜ａ１０へ出力する。Ｔｒエンコード部６１２には、不定領域測定回路３０３から出力された入力信号の不定期間Ｔｒ，Ｔｆの測定結果が入力される。Ｔｒエンコード部６１２は、例えば、入力信号の不定期間Ｔｒの測定結果を示す信号を符号化し、符号化した信号をＯＲ回路ｒ１〜ｒ１０へ出力する。
【００８９】
Ｔｆエンコード部６１３には、不定領域測定回路３０３から出力された入力信号の不定期間Ｔｒ，Ｔｆの測定結果が入力される。Ｔｆエンコード部６１３は、例えば、入力信号の不定期間Ｔｆの測定結果を示す信号を符号化し、符号化した信号をＡＮＤ回路ａ１〜ａ１０へ出力する。
【００９０】
ＯＲ回路ｒ１〜ｒ１０は、それぞれ、シフトレジスタ６１１からのＱ１〜Ｑ１０の出力信号およびＴｒエンコード部６１２から出力された信号を用いて、ＨレベルまたはＬレベルを示す信号をＡＮＤ回路ａ２１へ出力する。ＡＮＤ回路ａ１〜ａ１０は、それぞれ、シフトレジスタ６１１からのＱ１〜Ｑ１０の出力信号およびＴｆエンコード部６１３から出力された信号を用いて、ＨレベルまたはＬレベルを示す信号をＯＲ回路ｒ２１へ出力する。ＡＮＤ回路ａ２１は、ＯＲ回路ｒ１〜ｒ１０から出力された信号を用いて、ＨレベルまたはＬレベルを示す信号をＯＲ回路ｒ３１へ出力する。
【００９１】
ＯＲ回路ｒ３１は、ＡＮＤ回路ａ２１から出力された信号およびフリップフロップ回路６１４から出力された信号を用いて、ＨレベルまたはＬレベルを示す信号をＡＮＤ回路ａ３１へ出力する。ＯＲ回路ｒ２１は、ＡＮＤ回路ａ１〜ａ１０から出力された信号を用いて、ＨレベルまたはＬレベルを示す信号をＡＮＤ回路ａ３１へ出力する。
【００９２】
ＡＮＤ回路ａ３１は、ＯＲ回路ｒ２１およびＯＲ回路ｒ３１から出力された信号を用いて、ＨレベルまたはＬレベルを示す信号をフリップフロップ回路６１４に出力する。フリップフロップ回路６１４には、ＡＮＤ回路ａ３１から出力された信号が入力される。また、フリップフロップ回路６１４には、サンプリングクロックが入力される。フリップフロップ回路６１４は、ＡＮＤ回路ａ３１から出力された信号と、サンプリングクロックとを用いて連続一致保護を行う。フリップフロップ回路６１４は、連続一致保護後の信号をＯＲ回路ｒ３１および後段の信号処理回路へ出力する。
【００９３】
このようなサンプリング回路３０１および連続一致保護回路３０４により、信号の擾乱が生じる入力信号の不定期間Ｔｒ，Ｔｆにおける信号レベルの判定において、レベルを切り替えないようにすることができる。このため、入力信号の不定期間Ｔｒ，Ｔｆにおける信号レベルの誤判定を防止でき、受信端回路２２１の誤動作を抑えることができる。
【００９４】
（不定領域測定回路の動作を示すフローチャートの一例）
図７は、不定領域測定回路の動作の一例を示すフローチャートである。図７において、不定領域測定回路３０３は、動作モード設定回路３０２から出力された動作モード信号が示す動作モードが不定領域測定中であるか否かを判定する（ステップＳ７０１）。不定領域の測定対象となる不定領域測定回路３０３は、例えば、共通の信号線２１２ａ上において送信端回路２１１からの伝送距離が最も小さいプラグインユニット２２０に含まれる。
【００９５】
不定領域測定回路３０３は、動作モードが不定領域測定中になるまで待機する（ステップＳ７０１：Ｎｏ）。動作モードが不定領域測定中になると（ステップＳ７０１：Ｙｅｓ）、不定領域測定回路３０３は、サンプリング後の入力信号がｎ回連続してＬであるか否かを判定する（ステップＳ７０２）。ｎは、入力信号の不定期間Ｔｒの測定保護段数であり、例えば任意に設定することが可能な整数である。
【００９６】
不定領域測定回路３０３は、サンプリング後の入力信号がｎ回連続してＬレベルになるまで待機する（ステップＳ７０２：Ｎｏ）。サンプリング後の入力信号がｎ回連続してＬレベルになると（ステップＳ７０２：Ｙｅｓ）、不定領域測定回路３０３は、サンプリング後の入力信号がＨレベルであるか否かを判定する（ステップＳ７０３）。不定領域測定回路３０３は、サンプリング後の入力信号がＨレベルとなるまで待機する（ステップＳ７０３：Ｎｏ）。
【００９７】
サンプリング後の入力信号がＨになると（ステップＳ７０３：Ｙｅｓ）、不定領域測定回路３０３は、不定領域測定回路３０３が有するＴｒ計測カウンタ（図８参照）の動作を開始する（ステップＳ７０４）。次に、不定領域測定回路３０３は、サンプリング後の入力信号がｎ回連続してＨであるか否かを判定する（ステップＳ７０５）。
【００９８】
不定領域測定回路３０３は、サンプリング後の入力信号がｎ回連続してＨレベルになるまで待機する（ステップＳ７０５：Ｎｏ）。サンプリング後の入力信号がｎ回連続してＨレベルになると（ステップＳ７０５：Ｙｅｓ）、不定領域測定回路３０３は、Ｔｒ計測カウンタの動作を停止させる（ステップＳ７０６）。次に、不定領域測定回路３０３は、Ｔｒ計測カウンタ値を入力信号の不定期間Ｔｒの測定結果として保存する（ステップＳ７０７）。
【００９９】
次に、不定領域測定回路３０３は、サンプリング後の入力信号がＬレベルであるか否かを判定する（ステップＳ７０８）。不定領域測定回路３０３は、サンプリング後の入力信号がＬレベルになるまで待機する（ステップＳ７０８：Ｎｏ）。
【０１００】
サンプリング後の入力信号がＬレベルになると（ステップＳ７０８：Ｙｅｓ）、不定領域測定回路３０３は、不定領域測定回路３０３が有するＴｆ計測カウンタ（図８参照）の動作を開始する（ステップＳ７０９）。次に、不定領域測定回路３０３は、サンプリング後の入力信号がｎ回連続してＬレベルであるか否かを判定する（ステップＳ７１０）。
【０１０１】
不定領域測定回路３０３は、サンプリング後の入力信号がｎ回連続してＬレベルになるまで待機する（ステップＳ７１０：Ｎｏ）。サンプリング後の入力信号がｎ回連続してＬレベルになると（ステップＳ７１０：Ｙｅｓ）、不定領域測定回路３０３は、Ｔｆ計測カウンタの動作を停止させる（ステップＳ７１１）。次に、不定領域測定回路３０３は、Ｔｆ計測カウンタ値を入力信号の不定期間Ｔｆの測定結果として保存する（ステップＳ７１２）。
【０１０２】
次に、不定領域測定回路３０３は、保存した入力信号の不定期間Ｔｒ，Ｔｆの測定結果をクロック生成回路３１１および連続一致保護回路３０４へ送信する（ステップＳ７１３）。また、不定領域測定回路３０３は、測定完了通知を動作モード設定回路３０２に送信し（ステップＳ７１４）、一連の処理を終了する。
【０１０３】
上述したフローチャートにより、入力信号の不定期間Ｔｒ，Ｔｆの測定結果を得ることができる。連続一致保護回路３０４が測定結果を受信すると、連続一致保護回路３０４は、例えば、入力信号の不定期間Ｔｒと同等のＨレベル保護時間を設定し、また、入力信号の不定期間Ｔｆと同等のＬレベル保護時間を設定する。また、動作モード設定回路３０２が測定完了通知を受信すると、動作モード設定回路３０２は、動作モード設定回路３０２の動作モードを不定領域非測定中の動作モードに遷移する。
【０１０４】
本フローチャートの実行主体となる、送信端回路２１１からの伝送距離が最も小さい不定領域測定回路３０３の特定については、例えば、マザーボード２１０上において、各プラグインユニット２２０の差し込まれるコネクタ２１３の位置情報を用いればよい。例えば、いずれかの不定領域測定回路３０３や送信端回路２１１がこの位置情報を取得して、信号線２１２ａ上において送信端回路２１１からの伝送距離が最も小さい不定領域測定回路３０３を特定すればよい。
【０１０５】
（受信端回路の動作を示すタイミングチャートの一例）
図８は、受信端回路の動作の一例を示すタイミングチャートである。図８に示す出力信号５０１は、送信端回路２１１の送信端Ａにおける出力信号の論理値を示している。入力信号５０２は、受信端回路２２１の受信端Ｂにおける入力信号を示している。入力信号５０３は、受信端回路２２１におけるサンプリング後の入力信号を示している。
【０１０６】
動作モード設定回路３０２は、例えば不定領域測定中の動作モードを示している。動作モード設定回路３０２の動作モードが不定領域測定中である場合（図７のステップＳ７０１参照）、不定領域測定回路３０３は、入力信号５０３がｎ回連続してＬになるまで待機する（図７のステップＳ７０２参照）。
【０１０７】
また、動作モード設定回路３０２が不定領域測定中の動作モードである場合（図７のステップＳ７０１参照）、Ｔｒ計測カウンタ８０１は、サンプリング後の入力信号５０３のＨレベルが検出されるまで（図７のステップＳ７０３参照）、前値を保持する。サンプリング後の入力信号５０３のＨレベルが検出されると、Ｔｒ計測カウンタ８０１は、カウントアップの動作を開始する（図７のステップＳ７０４参照）。
【０１０８】
Ｔｒ計測カウンタ８０１は、サンプリング後の入力信号のＨが検出されてから、ｎ回（図示では例えば１３回）連続してＨレベルが検出されるまでカウントアップを継続する（図７のステップＳ７０５参照）。ｎ回連続してＨレベルが検出されると、Ｔｒ計測カウンタ８０１は、カウントアップを停止する（図７のステップＳ７０６参照）。
【０１０９】
不定領域測定回路３０３に含まれるＴｒ測定結果８０２は、Ｔｒ計測カウンタ８０１のカウントアップの停止まで、前値を保持する。Ｔｒ測定結果８０２は、Ｔｒ計測カウンタ８０１のカウントアップが停止すると、Ｔｒ計測カウンタ値（例えば３１）を入力信号の不定期間Ｔｒの測定結果として保持する（図７のステップＳ７０７参照）。
【０１１０】
測定保護段数であるｎ（１３）の期間は、マージンとなる。Ｔｒ測定結果８０２は、Ｔｒ計測カウンタ値（３１）から入力信号の不定期間Ｔｒの測定保護段数であるｎ（１３）を減じた値（１８）を入力信号の不定期間Ｔｒの測定結果として保持してもよい。これにより、マージンを少なくすることができ、その分、クロックの周期を短くすることができるため、伝送速度の向上を図ることができる。また、Ｔｒ計測カウンタ値から入力信号の不定期間Ｔｒの測定保護段数を減じない場合は、Ｈレベル保護時間を長く設定できるため、信号レベルの誤判定を抑えることができ、通信品質を向上させることができる。
【０１１１】
不定領域測定回路３０３に含まれるＴｆ計測カウンタ８０３は、サンプリング後の入力信号５０３のＬレベルが検出されるまで（図７のステップＳ７０８参照）、前値を保持する。サンプリング後の入力信号のＬレベルが検出されると、Ｔｆ計測カウンタ８０３は、カウントアップの動作を開始する（図７のステップＳ７０９参照）。
【０１１２】
Ｔｆ計測カウンタ８０３は、サンプリング後の入力信号のＬレベルが検出されてから、ｎ回（図示では例えば１３回）連続してＬレベルが検出されるまでカウントアップを継続する（図７のステップＳ７１０参照）。ｎ回連続してＬレベルが検出されると、Ｔｆ計測カウンタ８０３は、カウントアップを停止する（図７のステップＳ７１１参照）。
【０１１３】
不定領域測定回路３０３に含まれるＴｆ測定結果８０４は、Ｔｆ計測カウンタ８０３のカウントアップの停止まで、前値を保持する。Ｔｆ測定結果８０４は、Ｔｆ計測カウンタ８０３のカウントアップが停止すると、Ｔｆ計測カウンタ値（例えば３１）を入力信号の不定期間Ｔｒの測定結果として保持する（図７のステップＳ７１２参照）。
【０１１４】
測定保護段数であるｎ（１３）の期間は、マージンとなる。Ｔｆ測定結果８０４は、Ｔｆ計測カウンタ値（３１）から入力信号の不定期間Ｔｆの測定保護段数であるｎ（１３）を減じた値（１８）を入力信号の不定期間Ｔｆの測定結果として保持してもよい。これにより、マージンを少なくすることができ、その分、クロックの周期を短くすることができるため、伝送速度の向上を図ることができる。また、Ｔｆ計測カウンタ値から入力信号の不定期間Ｔｆの測定保護段数を減じない場合は、Ｌレベル保護時間を長く設定できるため、信号レベルの誤判定を抑えることができ、通信品質を向上させることができる。
【０１１５】
（実施の形態２にかかるクロック生成回路の動作の一例）
図９は、実施の形態２にかかるクロック生成回路の動作の一例を示すフローチャートである。図９において、クロック生成回路３１１は、Ｈレベルのクロックを出力する（ステップＳ９０１）。次に、クロック生成回路３１１は、Ｈレベルの出力カウンタの動作を開始させる（ステップＳ９０２）。次に、クロック生成回路３１１は、Ｈレベルの出力カウンタが、入力信号の不定期間Ｔｒの測定結果と、Ｈレベル保護時間と、半分のマージンと、を加算した値以上であるか否かを判定する（ステップＳ９０３）。
【０１１６】
Ｈレベルの出力カウンタが、入力信号の不定期間Ｔｒの測定結果と、Ｈレベル保護時間と、半分のマージンと、を加算した値以上となるまで、クロック生成回路３１１は待機する（ステップＳ９０３：Ｎｏ）。Ｈレベルの出力カウンタが、入力信号の不定期間Ｔｒの測定結果と、Ｈレベル保護時間と、半分のマージンと、を加算した値以上となると（ステップＳ９０３：Ｙｅｓ）、クロック生成回路３１１はＨレベルの出力カウンタの動作を停止させる（ステップＳ９０４）。
【０１１７】
次に、クロック生成回路３１１は、Ｌレベルのクロックを出力する（ステップＳ９０５）。次に、クロック生成回路３１１は、Ｌレベルの出力カウンタの動作を開始させる（ステップＳ９０６）。次に、クロック生成回路３１１は、Ｌレベルの出力カウンタが、入力信号の不定期間Ｔｆの測定結果と、Ｌレベル保護時間と、半分のマージンと、を加算した値以上であるか否かを判定する（ステップＳ９０７）。
【０１１８】
Ｌレベルの出力カウンタが、入力信号の不定期間Ｔｆの測定結果と、Ｌレベル保護時間と、半分のマージンと、を加算した値以上となるまで、クロック生成回路３１１は待機する（ステップＳ９０７：Ｎｏ）。Ｌレベルの出力カウンタが、入力信号の不定期間Ｔｆの測定結果と、Ｌレベル保護時間と、半分のマージンと、を加算した値以上となると（ステップＳ９０７：Ｙｅｓ）、クロック生成回路３１１はＬレベルの出力カウンタの動作を停止させる（ステップＳ９０８）。そして、クロック生成回路３１１は、一連の処理を終了する。
【０１１９】
上述したフローチャートにより、入力信号の不定期間Ｔｒの各測定結果に応じたＨレベルのクロックを出力することができる。また、入力信号の不定期間Ｔｆの各測定結果に応じたＬレベルのクロックを出力することができる。このため、入力信号の不定期間Ｔｒ，Ｔｆの測定結果に応じた信号の速度にすることができ、伝送速度を向上させることができる。
【０１２０】
（反射ノイズの一例）
図１０は、受信端回路が切断された場合の反射ノイズの一例を示す図である。図１０においては、プラグインユニット２２０の離脱に伴う受信端回路２２１の切断により、例えば受信端回路２２１が１つだけ接続されている場合を示す。受信端回路２２１が１つだけ接続されている場合、反射ノイズが最も大きくなる。
【０１２１】
図１０において、出力信号５０１は、送信端回路２１１の送信端Ａにおける出力信号の論理値を示している。入力信号１００１は、受信端回路２２１の受信端Ｂにおける入力信号を示している。
【０１２２】
受信端回路２２１の切断時には、特性インピーダンスが無限大となり、電圧レベルが最も大きくなる。受信端回路２２１が切断された場合、送信端Ａにおける出力信号の論理値に対し、受信端Ｂにおける入力信号には反射ノイズが発生し、入力信号の不定期間Ｔｒ，Ｔｆは、例えば、ともに１［ｍＳ］となる。
【０１２３】
図１１は、受信端回路が接続された場合の反射ノイズの一例を示す図である。図１１においては、プラグインユニット２２０の装着に伴う受信端回路２２１の接続により、例えば１０台全てのプラグインユニット２２０の受信端回路２２１が接続された場合を示す。受信端回路２２１が１０台全て接続されている場合、反射ノイズは最も小さくなる。
【０１２４】
図１１において、出力信号５０１は、送信端回路２１１の送信端Ａにおける出力信号の論理値を示している。入力信号１１０１は、受信端回路２２１の受信端Ｂにおける入力信号を示している。
【０１２５】
受信端回路２２１の接続時は、例えば、受信端回路２２１の切断時（図１０参照）に比べて反射ノイズの電圧レベルが小さい。受信端回路２２１の接続時における入力信号の不定期間Ｔｒ，Ｔｆは、例えば、ともに０．７［ｍＳ］である。
【０１２６】
（実施の形態２および従来の伝送速度の比較）
次に、実施の形態２および従来の伝送速度の比較について説明する。まず、従来のデジタル信号伝送回路では、反射ノイズの電圧レベルが最大となる条件を想定して、クロックの速度を予め計算しておく。反射ノイズの電圧レベルが最大となる条件とは、例えば、一の受信端回路２２１を残して受信端回路２２１が送信端回路２１１から切断される条件である。例えば、一の受信端回路２２１は、反射ノイズの影響を最も受けやすい受信端回路２２１であり、共通の信号線２１２ａ上における送信端回路２１１からの伝送距離が最も小さい受信端回路２２１ａである。
【０１２７】
例えば、入力信号の不定期間Ｔｒ，Ｔｆをともに１［ｍＳ］、Ｈレベル保護時間およびＬレベル保護時間をともに１［ｍＳ］、マージンを０．５［ｍＳ］、とする。この場合、従来のデジタル信号伝送回路における信号の伝送速度Ｔｈは、上記（１）式を用いて以下のように算出される。
【０１２８】
Ｔｈ［ｂｐｓ］＝１／（Ｔｒ［Ｓ］＋Ｈレベル保護時間［Ｓ］＋Ｔｆ［Ｓ］＋Ｌレベル保護時間［Ｓ］＋マージン［Ｓ］）＝１／（１［ｍＳ］＋１［ｍＳ］＋１［ｍＳ］＋１［ｍＳ］＋０．５［ｍＳ］）≒２２２．２［ｂｐｓ］…（２）
【０１２９】
このようなクロックの速度において、１０台全てのプラグインユニット２２０の受信端回路２２１が送信端回路２１１に接続された場合、一のプラグインユニット２２０の受信端回路２２１が受信できる信号の伝送速度の平均は、以下の式により算出できる。
【０１３０】
Ｔｈ／１台［ｂｐｓ］＝伝送速度［ｂｐｓ］／接続される受信端回路台数［台］＝２２２．２［ｂｐｓ］／１０［台］＝２２．２２［ｂｐｓ］
【０１３１】
一方、実施の形態２にかかる受信端回路２２１では、１０台全てのプラグインユニット２２０が装着されることにより、全ての受信端回路２２１が送信端回路２１１に接続された場合のクロックの速度を設定することができる。
【０１３２】
例えば、入力信号の不定期間Ｔｒ，Ｔｆをともに０．７［ｍＳ］、Ｈレベル保護時間およびＬレベル保護時間をともに０．７［ｍＳ］、マージンを０．５［ｍＳ］としたとする。この場合の伝送装置１００における信号の伝送速度は、上記（１）式を用いて以下のように算出される。
【０１３３】
Ｔｈ［ｂｐｓ］＝１／（Ｔｒ［Ｓ］＋Ｈレベル保護時間［Ｓ］＋Ｔｆ［Ｓ］＋Ｌレベル保護時間［Ｓ］＋マージン［Ｓ］）＝１／（０．７［ｍｓ］＋０．７［ｍＳ］＋０．７［ｍＳ］＋０．７［ｍＳ］＋０．５［ｍＳ］）≒３０３．０［ｂｐｓ］
【０１３４】
１０台全てのプラグインユニット２２０の受信端回路２２１が送信端回路２１１に接続された場合、一のプラグインユニット２２０の受信端回路２２１が受信する信号の伝送速度の平均は、以下の式で算出できる。
【０１３５】
Ｔｈ／１台［ｂｐｓ］＝伝送速度［ｂｐｓ］／接続される受信端回路台数［台］＝３０３．０［ｂｐｓ］／１０［台］＝３０．３０［ｂｐｓ］
【０１３６】
このように、実施の形態２によれば、全ての受信端回路２２１が送信端回路２１１に接続された場合において、一の受信端回路２２１が受信できる伝送信号の量を向上することができる。
【０１３７】
ただし、一の受信端回路２２１のみを接続した場合、つまり、反射ノイズの電圧レベルが最大となる場合の信号の伝送速度は、例えば、従来のデジタル信号伝送回路と同様となる。例えば、入力信号の不定期間Ｔｒ，Ｔｆについてはともに１［ｍＳ］を測定したものとし、マージンを０．５［ｍＳ］としたとすると、上記（２）式と同様の計算式により、２２２．２［ｂｐｓ］が算出される。
【０１３８】
このように、一の受信端回路２２１が接続されて反射ノイズの電圧レベルが最大となる場合に限って、受信端回路２２１が受信できる伝送速度は２２２．２［ｂｐｓ］となり、従来のデジタル信号伝送回路と同等となる。一方で、例えば、少なくとも２以上の受信端回路２２１が送信端回路２１１に接続された場合には、従来のデジタル信号伝送回路に比べて伝送速度を向上させることができる。
【０１３９】
（実施の形態２の信号波形および従来の信号波形の比較例）
図１２は、実施の形態２の信号波形および従来の信号波形の比較例を示す図である。図１２において、動作例１２００は、実施の形態２の信号の波形を示している。動作例１２１０は、従来の信号の波形を示している。
【０１４０】
出力信号１２０１，１２１１は、送信端回路２１１の送信端Ａにおける出力信号の論理値を示している。入力信号１２０２，１２１２は、受信端回路２２１の受信端Ｂにおける入力信号を示している。入力信号１２０３，１２１３は、受信端回路２２１におけるサンプリング後の入力信号を示している。入力信号１２０４，１２１４は、信号値の連続一致保護後の入力信号を示している。
【０１４１】
動作例１２１０の入力信号１２１４におけるＨレベル保護時間およびＬレベル保護時間は、反射ノイズの電圧レベルが最大となる条件を想定して予め設定された一定の値である。一方、動作例１２００の入力信号１２０４のＨレベル保護時間は、入力信号の不定期間Ｔｒの測定結果に基づいて算出される。例えば、入力信号１２０４のＨレベル保護時間は、入力信号の不定期間Ｔｒの測定結果と同じ時間である。入力信号１２０４のＨレベル保護時間は、入力信号１２１４のＨレベル保護時間と比較してわかるように、入力信号１２１４に比べて短いＨレベル保護時間を設定することができる。
【０１４２】
また、入力信号１２０４のＬレベル保護時間は、入力信号の不定期間Ｔｆの測定結果に基づいて算出される。例えば、入力信号１２０４のＬレベル保護時間は、入力信号の不定期間Ｔｆの測定結果と同じ時間である。入力信号１２０４のＬレベル保護時間は、入力信号１２１４のＬレベル保護時間と比較してわかるように、入力信号１２１４に比べて短いＬレベル保護時間を設定することができる。
【０１４３】
また、入力信号１２０４と入力信号１２１４とを比較してわかるように、入力信号１２０４は、入力信号１２１４に比べて、ＨレベルおよびＬレベルの切り替わる周期が短い。このため、出力信号１２０１のクロック速度を、出力信号１２１１のクロック速度よりも大きくすることができる。
【０１４４】
実施の形態２では、送信端回路２１１と受信端回路２２１とのバス接続の状態により変化する入力信号の不定期間Ｔｒ，Ｔｆに応じて、受信端回路２２１における保護時間と送信端回路２１１における信号の速度を制御する。これにより、マザーボード２１０とプラグインユニット２２０との接続状態に応じた伝送速度にすることができる。例えば、受信端回路２２１における保護時間を短くすることができ、また、送信端回路２１１における信号の速度を大きくすることができる。このため、単位時間あたりの伝送量を多くすることができ、伝送速度を向上させることができる。
【０１４５】
（入力信号の不定期間を特定する動作の変形例１）
図１３は、入力信号の不定期間を特定する動作の変形例１を示すフローチャートである。図１３に示す変形例１は、例えば、共通の信号線２１２ａ上において送信端回路２１１からの伝送距離が最も小さい受信端回路２２１の不定領域測定回路３０３が複数回、入力信号の不定期間Ｔｒ，Ｔｆを測定する場合について説明する。図１３に示す各ステップにおいて、図７に示したステップと同じステップについては同様の符号を付して、図７に示したステップと異なるステップについて説明する。
【０１４６】
図１３において、不定領域測定回路３０３は、動作モード設定回路３０２の動作モードが不定領域の測定中の動作モードである場合（ステップＳ７０１：Ｙｅｓ）、測定回数ｍ回の「１〜ｍ」の値を示す「ｊ」に「１」を設定する（ステップＳ１３０１）。測定回数ｍは任意の回数である。
【０１４７】
ステップＳ７１２の後、不定領域測定回路３０３は、「ｊ」に「１」を加算し（ステップＳ１３０２）、「ｊ」が測定回数ｍより大きいか否かを判断する（ステップＳ１３０３）。「ｊ」が測定回数ｍ以下の場合（ステップＳ１３０３：Ｎｏ）、不定領域測定回路３０３は、ステップＳ７０２に移行する。「ｊ」が測定回数ｍより大きい場合（ステップＳ１３０３：Ｙｅｓ）、不定領域測定回路３０３は、入力信号の不定期間Ｔｒ，Ｔｆの各ｍ個の測定結果の中から、それぞれ最も長い期間の入力信号の不定期間Ｔｒ，Ｔｆを特定する（ステップＳ１３０４）。この後、不定領域測定回路３０３は、ステップＳ７１３に移行する。
【０１４８】
変形例１によれば、複数回測定した入力信号の不定期間Ｔｒ，Ｔｆのうちの最も長い入力信号の不定期間Ｔｒ，Ｔｆに応じた保護時間を設定することができる。また、送信端回路２１１において、最も長い入力信号の不定期間Ｔｒ，Ｔｆに応じた信号の速度を設定することができる。したがって、信号レベルの誤判定を抑えつつ、伝送速度を向上させることができるため、通信品質を向上させることができる。
【０１４９】
（入力信号の不定期間を特定する動作の変形例２）
図１４は、入力信号の不定期間を特定する動作の変形例２を示すフローチャートである。図１４に示す変形例２は、マザーボード２１０に接続される複数のプラグインユニット２２０のそれぞれの入力信号の不定期間Ｔｒ，Ｔｆを測定する場合について説明する。変形例２では、例えば、各プラグインユニット２２０の不定領域測定回路３０３において、それぞれ図７に示したフローチャートの各動作が行われることを前提とする。また、本フローチャートの実行主体は、例えば、いずれかの受信端回路２２１とするが、送信端回路２１１としてもよい。
【０１５０】
図１４において、受信端回路２２１は、動作モード設定回路３０２の動作モードが不定領域測定中であるか否かを判定する（ステップＳ１４０１）。受信端回路２２１は、動作モードが不定領域測定中になるまで待機する（ステップＳ１４０１：Ｎｏ）。動作モードが不定領域測定中になると（ステップＳ１４０１：Ｙｅｓ）、受信端回路２２１は、各プラグインユニット２２０の不定領域測定回路３０３から、入力信号の不定期間Ｔｒ，Ｔｆを受信する（ステップＳ１４０２）。
【０１５１】
次に、受信端回路２２１は、受信した入力信号の不定期間Ｔｒ，Ｔｆを保存する（ステップＳ１４０３）。次に、受信端回路２２１は、全ての不定領域測定回路３０３から入力信号の不定期間Ｔｒ，Ｔｆを受信したか否かを判定する（ステップＳ１４０４）。全ての不定領域測定回路３０３から入力信号の不定期間Ｔｒ，Ｔｆを受信していない場合（ステップＳ１４０４：Ｎｏ）、受信端回路２２１は、ステップＳ１４０２に移行する。
【０１５２】
全ての不定領域測定回路３０３から入力信号の不定期間Ｔｒ，Ｔｆを受信した場合（ステップＳ１４０４：Ｙｅｓ）、受信端回路２２１は、それぞれ最も長い期間の入力信号の不定期間Ｔｒ，Ｔｆを特定する（ステップＳ１４０５）。例えば、ステップＳ１４０５では、受信端回路２２１は、保存した入力信号の不定期間Ｔｒ，Ｔｆの測定結果の中から、それぞれ最も長い期間の入力信号の不定期間Ｔｒ，Ｔｆを特定する。次に、受信端回路２２１は、特定した入力信号の不定期間Ｔｒ，Ｔｆを、送信端回路２１１のクロック生成回路３１１や各受信端回路２２１の連続一致保護回路３０４に送信し（ステップＳ１４０６）、一連の処理を終了する。
【０１５３】
変形例２によれば、複数の受信端回路２２１の入力信号の不定期間Ｔｒ，Ｔｆのうちの最も長い入力信号の不定期間Ｔｒ，Ｔｆに応じた保護時間を設定することができる。また、送信端回路２１１において、最も長い入力信号の不定期間Ｔｒ，Ｔｆに応じた信号の速度を設定することができる。したがって、信号レベルの誤判定を抑えつつ、伝送速度を向上させることができるため、通信品質を向上させることができる。
【０１５４】
また、変形例２では、各プラグインユニット２２０の不定領域測定回路３０３において、それぞれ図７に示したフローチャートの各動作が行われることを前提としたが、図１３に示したフローチャートの各動作が行われることを前提としてもよい。つまり、各プラグインユニット２２０の不定領域測定回路３０３において複数回測定した入力信号の不定期間Ｔｒ，Ｔｆのうちの最も長い入力信号の不定期間Ｔｒ，Ｔｆを受信し、さらにその中から最長の入力信号の不定期間Ｔｒ，Ｔｆを特定してもよい。これにより、最長の入力信号の不定期間Ｔｒ，Ｔｆに応じた保護時間を設定することができるため、通信品質をより向上させることができる。
【０１５５】
（実施の形態３）
次に、伝送装置１００の実施の形態３について説明する。上述した実施の形態２では、連続一致保護回路３０４を用いて連続一致保護時間を設定したが、実施の形態３では、信号変化点マスクパルス生成回路を用いてマスク保護時間を設定する場合について説明する。実施の形態３においては、実施の形態１，２と異なる部分について説明する。
【０１５６】
（実施の形態３にかかる伝送装置の回路構成の一例）
図１５は、実施の形態３にかかる伝送装置の回路構成の一例を示す図である。図１５に示すように、プラグインユニット２２０の受信端回路２２１は、サンプリング回路３０１と、動作モード設定回路３０２と、不定領域測定回路３０３と、信号変化点検出回路１５０１と、信号変化点マスクパルス生成回路１５０２と、を有する。
【０１５７】
サンプリング回路３０１は、送信端回路２１１の送信端Ａから出力された信号をサンプリングして、サンプリング後の入力信号を信号変化点検出回路１５０１および不定領域測定回路３０３へ出力する。
【０１５８】
信号変化点検出回路１５０１には、サンプリング回路３０１から出力されたサンプリング後の入力信号と、信号変化点マスクパルス生成回路１５０２から出力された信号変化点マスクパルスと、が入力される。信号変化点検出回路１５０１は、ラッチ回路を含む。信号変化点検出回路１５０１は、信号変化点マスクパルス生成回路１５０２から出力された信号変化点マスクパルスを用いて、サンプリング回路３０１から出力された信号の信号変化点の保護を行って、信号変化点の保護後の信号を後段の信号処理回路へ出力する。
【０１５９】
また、信号変化点検出回路１５０１は、サンプリング回路３０１から出力された信号と、信号変化点マスクパルス生成回路１５０２から出力された信号変化点マスクパルスと、を用いて、信号変化点検出パルスを生成する。そして、信号変化点検出回路１５０１は、生成した信号変化点検出パルスを信号変化点マスクパルス生成回路１５０２へ出力する。
【０１６０】
動作モード設定回路３０２は、測定開始通知を受信すると、「不定領域非測定中」の動作モードから「不定領域測定中」の動作モードに遷移する。そして、動作モード設定回路３０２は、動作モードを示す動作モード信号を不定領域測定回路３０３および信号変化点マスクパルス生成回路１５０２へ出力する。不定領域測定回路３０３は、入力信号の不定期間Ｔｒ，Ｔｆの測定が完了すると、クロック生成回路３１１および信号変化点マスクパルス生成回路１５０２に測定結果を送信する。
【０１６１】
信号変化点マスクパルス生成回路１５０２は、動作モード設定回路３０２からの動作モード信号が示す「不定領域測定中」に、不定領域測定回路３０３から出力された入力信号の不定期間Ｔｒ，Ｔｆの測定結果を用いて、信号変化点マスクパルスを生成する。
【０１６２】
また、信号変化点マスクパルス生成回路１５０２には、信号変化点検出回路１５０１から出力された信号変化点検出パルスと、不定領域測定回路３０３から出力された測定結果と、動作モード設定回路３０２から出力された動作モード信号と、が入力される。信号変化点マスクパルス生成回路１５０２は、「不定領域測定中」の動作モードにおいて不定領域測定回路３０３から出力された測定結果と、信号変化点検出回路１５０１から出力された信号変化点検出パルスと、を用いて、信号変化点マスクパルスを生成する。信号変化点マスクパルス生成回路１５０２は、生成した信号変化点マスクパルスを信号変化点検出回路１５０１へ出力する。
【０１６３】
信号変化点マスクパルス生成回路１５０２は、各受信端Ｂで発生する反射ノイズによる入力信号の不定期間Ｔｒ，Ｔｆの測定結果を用いて、Ｈレベル信号マスク保護時間およびＬレベル信号マスク保護時間を算出する。以下において、Ｈレベル信号マスク保護時間を「Ｈレベル保護時間」と称する。また、Ｌレベル信号マスク保護時間を「Ｌレベル保護時間」と称する。例えば、信号変化点マスクパルス生成回路１５０２は、Ｈレベル保護時間においては入力した信号のレベルにかかわらずＨレベルを出力し、Ｈレベル保護時間の経過後には入力した信号のレベルに応じた信号を出力する。また、信号変化点マスクパルス生成回路１５０２は、Ｌレベル保護時間においては入力した信号のレベルにかかわらずＬレベルを出力し、Ｌレベル保護時間の経過後には入力した信号のレベルに応じた信号を出力する。
【０１６４】
このように、伝送装置１００は、入力信号の不定期間Ｔｒ，Ｔｆにおいて一定のレベルを出力するため、信号の擾乱が生じていたとしても、信号変化点マスクパルス生成回路１５０２から出力される信号のレベルが切り替わらないようにすることができる。このため、例えば、信号の擾乱による信号レベルの誤判定を抑え、各受信端回路２２１の誤動作を抑えることができる。
【０１６５】
図１に示した取得部１１１は、例えば不定領域測定回路３０３によって実現される。また、図１に示した第１制御部１１２は、信号変化点検出回路１５０１および信号変化点マスクパルス生成回路１５０２によって実現される。また、図１に示した第２制御部１１３は、不定領域測定回路３０３によって実現される。例えば、不定領域測定回路３０３が、入力信号の不定期間Ｔｒ，Ｔｆを含み測定結果に応じたクロック信号の調整を指示する信号をクロック生成回路３１１へ送信することにより、第２制御部１１３の機能を実現する。
【０１６６】
ここで、信号変化点マスクパルス生成回路１５０２を用いた場合における信号の伝送速度Ｔｈは、下記（３）式で算出される。
【０１６７】
Ｔｈ［ｂｐｓ］＝１／（Ｈレベル保護時間［Ｓ］＋Ｌレベル保護時間［Ｓ］＋マージン［Ｓ］）…（３）
【０１６８】
上記（３）式について、図１６を用いて説明する。
【０１６９】
（実施の形態３の送信端回路が送信する信号の波形および受信端回路が受信する信号の波形の一例）
図１６は、実施の形態３の送信端回路が送信する信号の波形および受信端回路が受信する信号の波形の一例を示す図である。図１６において信号変化点検出パルス１６０１は、信号変化点の検出を示すパルスであり、例えば、入力信号５０３における、入力信号の不定期間Ｔｒ，Ｔｆの開始を示すパルスである。
【０１７０】
信号変化点マスクパルス１６０２は、Ｈレベル保護時間、または、Ｌレベル保護時間を示すパルスである。Ｈレベル保護時間は、入力信号の不定期間Ｔｒによって決定される時間であり、例えば入力信号の不定期間Ｔｒと同じ時間である。Ｌレベル保護時間は、入力信号の不定期間Ｔｆによって決定される時間であり、例えば入力信号の不定期間Ｔｆと同じ時間である。
【０１７１】
信号変化点保護後の入力信号１６０３は、信号変化点の保護後の入力信号を示している。信号変化点保護後の入力信号１６０３は、Ｌレベルが連続する状況において信号変化点検出パルス１６０１の立ち上がりがあると、この立ち上がりと同時にＨレベルに切り替わる。信号変化点保護後の入力信号１６０３は、Ｈレベルに切り替わった後のＨレベル保護時間においては、サンプリング後の入力信号のレベルにかかわらず、Ｈレベルを保持する。また、信号変化点保護後の入力信号１６０３は、Ｈレベルが連続する状況においてＨレベルマスク保護時間［Ｓ］およびマージン［Ｓ］の経過後に、信号変化点検出パルス１６０１の立ち上がりがあると、この立ち上がりと同時にＬレベルに切り替わる。
【０１７２】
信号変化点保護後の入力信号１６０３は、Ｌレベルに切り替わった後のＬレベル保護時間においては、サンプリング後の入力信号のレベルにかかわらず、Ｌレベルを保持する。また、信号変化点保護後の入力信号１６０３は、Ｌレベルが連続する状況においてＬレベル保護時間［Ｓ］およびマージン［Ｓ］の経過後に、信号変化点検出パルス１６０１の立ち上がりがあると、この立ち上がりと同時にＨレベルに切り替わる。以降、同様にして、信号変化点保護後の入力信号１６０３は、ＨレベルとＬレベルとが切り替わる。
【０１７３】
（サンプリング回路、ラッチ回路およびマスクパルス生成回路のハードウェア構成）
図１７は、サンプリング回路、ラッチ回路およびマスクパルス生成回路のハードウェア構成の一例を示す図である。図１７に示すように、サンプリング回路３０１のフリップフロップ回路６０１は、出力信号を信号変化点検出回路１５０１へ送信する。
【０１７４】
信号変化点検出回路１５０１は、フリップフロップ回路１７０１と、論理回路１７０２と、を有する。フリップフロップ回路１７０１には、フリップフロップ回路６０１から出力された信号と、サンプリングクロックとが入力される。また、フリップフロップ回路１７０１には、信号変化点マスクパルス生成回路１５０２のフリップフロップ回路６１４からのイネーブルの信号変化点マスクパルスが反転入力される。
【０１７５】
フリップフロップ回路１７０１は、フリップフロップ回路６０１から出力された信号、フリップフロップ回路６１４からの反転入力された信号変化点マスクパルス、および、サンプリングクロックを用いて、信号変化点の保護を行う。フリップフロップ回路１７０１は、信号変化点の保護を行った信号を、論理回路１７０２、信号変化点マスクパルス生成回路１５０２および後段の信号処理回路へ出力する。
【０１７６】
論理回路１７０２には、フリップフロップ回路６０１から出力された信号と、フリップフロップ回路１７０１から出力された信号とが入力される。論理回路１７０２は、排他的論理和の回路であり、入力した信号に基づいて、信号変化点検出パルスを生成し、生成した信号変化点検出パルスを信号変化点マスクパルス生成回路１５０２へ出力する。
【０１７７】
信号変化点マスクパルス生成回路１５０２は、カウンタ１７１１と、セレクタ１７１２と、マグニチュードコンパレータ１７１３と、Ｔｒエンコード部６１２と、Ｔｆエンコード部６１３と、を有する。また、信号変化点マスクパルス生成回路１５０２は、ＯＲ回路ｒ３１と、ＡＮＤ回路ａ３１と、フリップフロップ回路６１４と、を有する。
【０１７８】
カウンタ１７１１には、論理回路１７０２から出力された信号変化点検出パルスと、サンプリングクロックとが入力される。カウンタ１７１１は、入力された信号変化点検出パルスをクリアする。また、カウンタ１７１１には、マグニチュードコンパレータ１７１３から出力されたイネーブルの信号が反転入力される。カウンタ１７１１は、入力された各種信号に基づいて、Ｑ１〜Ｑ１０の出力信号をマグニチュードコンパレータ１７１３へ出力する。
【０１７９】
Ｔｒエンコード部６１２は、例えば、入力信号の不定期間Ｔｒの測定結果を示す信号を符号化し、符号化した信号をセレクタ１７１２へ出力する。Ｔｆエンコード部６１３は、例えば、入力信号の不定期間Ｔｆの測定結果を示す信号を符号化し、符号化した信号をセレクタ１７１２へ出力する。
【０１８０】
セレクタ１７１２には、フリップフロップ回路１７０１からの信号変化点の保護後の入力信号が反転入力される。また、セレクタ１７１２には、Ｔｒエンコード部６１２から出力された信号およびＴｆエンコード部６１３から出力された信号が入力される。セレクタ１７１２は、反転入力された信号変化点の保護後の入力信号を用いて、Ｔｒエンコード部６１２から出力された信号およびＴｆエンコード部６１３から出力された信号のいずれかを選択して、選択した信号をマグニチュードコンパレータ１７１３へ出力する。
【０１８１】
マグニチュードコンパレータ１７１３は、カウンタ１７１１から出力された信号と、セレクタ１７１２から出力された信号が入力される。マグニチュードコンパレータ１７１３は、例えば、入力された各種信号の大小比較を行って、比較結果を示す信号をカウンタ１７１１およびＡＮＤ回路ａ３１へ出力する。
【０１８２】
ＯＲ回路ｒ３１は、論理回路１７０２から出力された信号変化点検出パルスとフリップフロップ回路６１４から出力された信号とを用いて、ＨレベルまたはＬレベルを示す信号をＡＮＤ回路ａ３１へ出力する。ＡＮＤ回路ａ３１は、マグニチュードコンパレータ１７１３およびＯＲ回路ｒ３１から出力された信号を用いて、ＨレベルまたはＬレベルを示す信号をフリップフロップ回路６１４に出力する。
【０１８３】
フリップフロップ回路６１４は、ＡＮＤ回路ａ３１から出力された信号と、サンプリングクロックとを用いて信号変化点マスクパルスを生成する。フリップフロップ回路６１４は、生成した信号変化点マスクパルスを、ＯＲ回路ｒ３１および信号変化点検出回路１５０１のフリップフロップ回路１７０１へ出力する。
【０１８４】
このようなサンプリング回路３０１、信号変化点検出回路１５０１および信号変化点マスクパルス生成回路１５０２により、信号の擾乱が生じる入力信号の不定期間Ｔｒ，Ｔｆにおける信号レベルの判定において、レベルを切り替えないようにすることができる。このため、入力信号の不定期間Ｔｒ，Ｔｆにおける信号レベルの誤判定を防止でき、受信端回路２２１の誤動作を抑えることができる。
【０１８５】
（実施の形態３にかかるクロック生成回路の動作の一例）
図１８は、実施の形態３にかかるクロック生成回路の動作の一例を示すフローチャートである。図１８に示す各ステップにおいて、図９に示したステップと同じステップについては同様の符号を付して、図９に示したステップと異なるステップについて説明する。
【０１８６】
図１８に示すように、クロック生成回路３１１は、ステップＳ９０２の後、Ｈレベルの出力カウンタが、Ｈレベル保護時間と、半分のマージンと、を加算した値以上であるか否かを判定する（ステップＳ１８０１）。Ｈレベルの出力カウンタが、Ｈレベル保護時間と、半分のマージンと、を加算した値以上となるまで、クロック生成回路３１１は待機する（ステップＳ１８０１：Ｎｏ）。Ｈレベルの出力カウンタが、Ｈレベル保護時間と、半分のマージンと、を加算した値以上となると（ステップＳ１８０１：Ｙｅｓ）、クロック生成回路３１１は、ステップＳ９０４に移行する。
【０１８７】
また、クロック生成回路３１１は、ステップＳ９０６の後、Ｌレベルの出力カウンタが、Ｌレベル保護時間と、半分のマージンと、を加算した値以上であるか否かを判定する（ステップＳ１８０２）。Ｌレベルの出力カウンタが、Ｌレベル保護時間と、半分のマージンと、を加算した値以上となるまで、クロック生成回路３１１は待機する（ステップＳ１８０２：Ｎｏ）。Ｌレベルの出力カウンタが、Ｌレベル保護時間と、半分のマージンと、を加算した値以上となると（ステップＳ１８０２：Ｙｅｓ）、クロック生成回路３１１は、ステップＳ９０８に移行する。
【０１８８】
（実施の形態３および従来の伝送速度の比較例）
次に、実施の形態３および従来の伝送速度の比較例について説明する。まず、従来のデジタル信号伝送回路では、反射ノイズの電圧レベルが最大となる条件を想定して、クロックの速度を予め計算しておく。
【０１８９】
例えば、入力信号の不定期間Ｔｒ，Ｔｆをともに１［ｍＳ］、Ｈレベル保護時間およびＬレベル保護時間をともに１［ｍＳ］、マージンを０．５［ｍＳ］、とする。この場合に、従来のデジタル信号伝送回路における信号の伝送速度Ｔｈは、上記（３）式を用いて以下のように算出される。
【０１９０】
Ｔｈ［ｂｐｓ］＝１／（Ｈレベル保護時間［Ｓ］＋Ｌレベル保護時間［Ｓ］＋マージン［Ｓ］）＝１／（１［ｍＳ］＋１［ｍＳ］＋０．５［ｍＳ］）＝４００［ｂｐｓ］…（４）
【０１９１】
１０台全てのプラグインユニット２２０が装着されることにより、全ての受信端回路２２１が送信端回路２１１に接続された場合、一の受信端回路が受信できる信号の伝送速度の平均は、以下の式により算出できる。
【０１９２】
Ｔｈ／１台［ｂｐｓ］＝伝送速度［ｂｐｓ］／接続される受信端回路台数［台］＝４００［ｂｐｓ］／１０［台］＝４０［ｂｐｓ］
【０１９３】
一方、実施の形態３にかかる受信端回路２２１では、１０台全てのプラグインユニット２２０が装着されることにより、全ての受信端回路２２１が送信端回路２１１に接続された場合のクロックの速度を設定することができる。
【０１９４】
例えば、入力信号の不定期間Ｔｒ，Ｔｆをともに０．７［ｍＳ］、Ｈレベル保護時間およびＬレベル保護時間をともに０．７［ｍＳ］、マージンを０．５［ｍＳ］としたとする。この場合の伝送装置１００における信号の伝送速度は、上記（３）式を用いて以下のように算出される。
【０１９５】
Ｔｈ［ｂｐｓ］＝１／（Ｈレベル保護時間［Ｓ］＋Ｌレベル保護時間［Ｓ］＋マージン［Ｓ］）＝１／（０．７［ｍｓ］＋０．７［ｍＳ］＋０．５［ｍＳ］）≒５２６［ｂｐｓ］
【０１９６】
１０台全てのプラグインユニット２２０の受信端回路２２１が送信端回路２１１に接続された場合、一のプラグインユニット２２０の受信端回路２２１が受信する信号の伝送速度の平均は、以下の式で算出できる。
【０１９７】
Ｔｈ／１台［ｂｐｓ］＝伝送速度［ｂｐｓ］／接続される受信端回路台数［台］＝５２６［ｂｐｓ］／１０［台］＝５２．６［ｂｐｓ］
【０１９８】
このように、実施の形態３によれば、全ての受信端回路２２１が送信端回路２１１に接続された場合において、一の受信端回路２２１が受信できる伝送信号の量を向上することができる。
【０１９９】
ただし、一の受信端回路２２１のみを接続した場合、つまり、反射ノイズの電圧レベルが最大となる場合の信号の伝送速度は、例えば、従来のデジタル信号伝送回路と同様となる。例えば、入力信号の不定期間Ｔｒ，Ｔｆについてはともに１［ｍＳ］を測定したものとし、マージンを０．５［ｍＳ］としたとすると、上記（４）式と同様の計算式により、４００［ｂｐｓ］が算出される。
【０２００】
このように、一の受信端回路２２１が接続されて反射ノイズの電圧レベルが最大となる場合に限って、受信端回路２２１が受信できる伝送速度は４００［ｂｐｓ］となり、従来のデジタル信号伝送回路と同等となる。一方で、例えば、少なくとも２以上の受信端回路２２１が送信端回路２１１に接続された場合には、従来のデジタル信号伝送回路に比べて伝送速度を向上させることができる。
【０２０１】
（実施の形態３の信号波形および従来の信号波形の比較例）
図１９は、実施の形態３の信号波形および従来の信号波形の比較例を示す図である。図１９において、動作例１９００は、実施の形態３の信号の波形を示している。動作例１９１０は、従来の信号の波形を示している。
【０２０２】
出力信号１９０１，１９１１は、送信端回路２１１の送信端Ａにおける出力信号の論理値を示している。入力信号１９０２，１９１２は、受信端回路２２１の受信端Ｂにおける入力信号を示している。入力信号１９０３，１９１３は、受信端回路２２１におけるサンプリング後の入力信号を示している。
【０２０３】
信号変化点検出パルス１９０４，１９１４は、信号変化点の検出を示すパルスであり、例えば、入力信号の不定期間Ｔｒ，Ｔｆの開始を示すパルスである。信号変化点マスクパルス１９０５，１９１５は、Ｈレベル保護時間、または、Ｌレベル保護時間を示すパルスである。信号変化点保護後の入力信号１９０６，１９１６は、信号値の信号変化点保護後の入力信号を示している。
【０２０４】
信号変化点保護後の入力信号１９１６におけるＨレベル保護時間およびＬレベル保護時間は、反射ノイズの電圧レベルが最大となる条件を想定して予め設定された一定の値である。一方、信号変化点マスクパルス１９０５のＨレベル保護時間は、入力信号の不定期間Ｔｒの測定結果に基づいて算出される。例えば、信号変化点マスクパルス１９０５のＨレベル保護時間は、入力信号の不定期間Ｔｒの測定結果と同じ時間である。また、信号変化点マスクパルス１９０５のＬレベル保護時間は、入力信号の不定期間Ｔｆの測定結果に基づいて算出される。例えば、信号変化点マスクパルス１９０５のＬレベル保護時間は、入力信号の不定期間Ｔｆの測定結果と同じ時間である。
【０２０５】
信号変化点マスクパルス１９０５は、信号変化点マスクパルス１９１５と比較してわかるように、信号変化点マスクパルス１９１５に比べて、短いＨレベル保護時間を設定することができる。また、信号変化点マスクパルス１９０５は、信号変化点マスクパルス１９１５と比較してわかるように、信号変化点マスクパルス１９１５に比べて、短いＬレベル保護時間を設定することができる。
【０２０６】
また、信号変化点保護後の入力信号１９０６と信号変化点保護後の入力信号１９１６とを比較してわかるように、信号変化点保護後の入力信号１９０６は、ＨレベルおよびＬレベルの切り替わる周期が短い。このため、出力信号１９０１のクロック速度を出力信号１９１１のクロック速度よりも大きくすることができる。
【０２０７】
実施の形態３によれば、実施の形態１，２と同様の効果を得ることができる。また、実施の形態３では、入力信号の不定期間Ｔｒ，Ｔｆの開始と同時に保護時間を設定するため、実施の形態２の連続一致保護後の入力信号５０４（図５参照）の周期に比べて、信号変化点保護後の入力信号１６０３（図１６参照）の周期を短くすることができる。また、実施の形態２よりも信号の速度を大きくすることができる。このため、単位時間あたりの伝送量をより多くすることができ、伝送速度をより向上させることができる。
【０２０８】
（実施の形態４）
次に、伝送装置１００の実施の形態４について説明する。実施の形態２，３では、動作モード設定回路３０２および不定領域測定回路３０３が、受信端回路２２１に含まれる場合について説明したが、実施の形態４では、送信端回路２１１に含まれる場合について説明する。実施の形態４では、例えば、実施の形態１に示した所定の通信装置１０２ａを受信端回路２２１によって実現し、実施の形態１に示した制御装置１１０を送信端回路２１１によって実現する場合について説明する。実施の形態４においては、実施の形態１〜３と異なる部分について説明する。
【０２０９】
（実施の形態４にかかる伝送装置の回路構成の一例）
図２０は、実施の形態４にかかる伝送装置の回路構成の一例を示す図である。図２０に示すように、送信端回路２１１は、サンプリング回路２００１と、動作モード設定回路３０２と、不定領域測定回路３０３と、クロック生成回路３１１と、出力信号生成回路３１２と、を有する。
【０２１０】
出力信号生成回路３１２は、クロック生成回路３１１によって生成されたクロックを用いて信号を生成し、生成した信号を、受信端回路２２１のサンプリング回路３０１および送信端回路２１１のサンプリング回路２００１へ出力する。サンプリング回路２００１は、出力信号生成回路３１２から出力された信号をサンプリングして、サンプリング後の入力信号を不定領域測定回路３０３へ出力する。
【０２１１】
不定領域測定回路３０３は、動作モード設定回路３０２から出力された動作モード信号が示す動作モードが「不定領域測定中」である場合、サンプリング回路２００１から出力されたサンプリング後の入力信号を用いて、入力信号の不定期間Ｔｒ，Ｔｆを測定する。不定領域測定回路３０３は、入力信号の不定期間Ｔｒ，Ｔｆの測定が完了すると、クロック生成回路３１１および受信端回路２２１の連続一致保護回路３０４に測定結果を送信する。不定領域測定回路３０３は、反射ノイズの影響を最も受けやすい送信端Ａの近傍の入力信号の不定期間Ｔｒ，Ｔｆを測定する。
【０２１２】
受信端回路２２１は、サンプリング回路３０１と、連続一致保護回路３０４と、を有する。サンプリング回路３０１は、送信端回路２１１の出力信号生成回路３１２から出力された信号をサンプリングして、サンプリング後の入力信号を連続一致保護回路３０４へ出力する。
【０２１３】
連続一致保護回路３０４には、サンプリング回路３０１から出力されたサンプリング後の入力信号と、送信端回路２１１の不定領域測定回路３０３から出力された入力信号の不定期間Ｔｒ，Ｔｆの測定結果と、が入力される。連続一致保護回路３０４は、送信端回路２１１の不定領域測定回路３０３から出力された測定結果を用いて、サンプリング回路３０１から出力されたサンプリング後の入力信号の連続一致保護を行って、連続一致保護後の信号を出力する。
【０２１４】
図１に示した取得部１１１は、例えば不定領域測定回路３０３によって実現される。また、図１に示した第１制御部１１２は、不定領域測定回路３０３によって実現される。例えば、不定領域測定回路３０３が、入力信号の不定期間Ｔｒ，Ｔｆの測定結果を含み測定結果に応じた保護時間の調整を指示する信号を連続一致保護回路３０４へ送信することにより、第１制御部１１２の機能を実現する。また、図１に示した第２制御部１１３は、クロック生成回路３１１によって実現される。
【０２１５】
実施の形態４によれば、実施の形態１と同様の効果を得ることができる。また、実施の形態４では、各受信端回路２２１にそれぞれ動作モード設定回路３０２および不定領域測定回路３０３を設けなくても、送信端回路２１１のみに動作モード設定回路３０２および不定領域測定回路３０３を設けるだけで済む。
【０２１６】
また、実施の形態４によれば、反射ノイズの影響を最も受けやすい送信端Ａ付近において入力信号の不定期間Ｔｒ，Ｔｆを測定するため、最も長い入力信号の不定期間Ｔｒ，Ｔｆに応じた保護時間を設定することができる。また、送信端回路２１１において、最も長い入力信号の不定期間Ｔｒ，Ｔｆに応じた信号の速度を設定することができる。したがって、信号の伝送速度を向上させることができ、通信品質を向上させることができる。
【０２１７】
また、実施の形態４においては、入力信号の不定期間Ｔｒ，Ｔｆに応じて連続一致保護時間を設定する場合について説明したが、入力信号の不定期間Ｔｒ，Ｔｆに応じてマスク保護時間を設定する場合についても同様に実現可能である。例えば、送信端回路２１１に、動作モード設定回路３０２、信号変化点検出回路１５０１および信号変化点マスクパルス生成回路１５０２を含ませることも可能である。これにより、実施の形態４と同様の効果を得ることができるとともに、クロック信号をより高速にすることができる。このため、単位時間あたりの伝送量をより多くすることができ、伝送速度を向上させることができる。
【０２１８】
（実施の形態５）
実施の形態５について、上述した実施の形態１〜４と異なる部分について説明する。実施の形態５においては、受信端回路に対して複数の送信端回路が接続される伝送装置について説明する。
【０２１９】
（実施の形態５にかかる伝送装置）
図２１は、実施の形態５にかかる伝送装置の一例を示す図である。図２１に示すように、実施の形態５にかかる伝送装置１００は、ｎ台の送信端回路２１１１〜２１１ｎと、受信端回路２１２０と、を有する。ｎは例えば２以上の自然数である。送信端回路２１１１〜２１１ｎは、図１に示した第１通信装置１０１に対応する。受信端回路２１２０は、図１に示した第２通信装置１０２に対応する。このように、図１に示した信号線１０４には、信号線１０４に対して複数の第１通信装置１０１が接続可能であってもよい。
【０２２０】
送信端回路２１１１〜２１１ｎは、それぞれ伝送路２１０１の送信端Ａ１〜Ａｎに対する接続および切断が可能である。受信端回路２１２０は、伝送路２１０１の受信端Ｂに接続されている。このように、切断可能な複数の送信端回路２１１１〜２１１ｎと、１台の受信端回路２１２０と、をバス接続した伝送装置１００においては、送信端Ａ１〜Ａｎおよび受信端Ｂにおいて反射ノイズが発生して複合波となり、より複雑な擾乱が生じる。
【０２２１】
図２１に示す伝送装置１００のように、複数台の送信端回路２１１１〜２１１ｎと１台の受信端回路２１２０とを有するデジタル信号伝送回路の伝送路構造を多対一バス接続と称する。伝送装置１００において、送信端回路２１１１〜２１１ｎのうちの１台の送信端回路から受信端回路２１２０へ信号を送信する場合の反射ノイズは、例えば図１０，図１１に示した反射ノイズと同様である。
【０２２２】
多対一バス接続のデジタル信号伝送回路においては、送信端回路２１１１〜２１１ｎのうちのいずれの送信端回路から信号を送信するのかに依拠して特性インピーダンスが変化する。したがって、送信端回路２１１１〜２１１ｎのうちの信号を送信する送信端回路に依拠して反射ノイズの特性が変化し、入力信号の不定期間Ｔｒ，Ｔｆが変化する。このように、伝送装置１００のように、複数の送信端回路２１１１〜２１１ｎが接続可能な多対一バス接続のデジタル信号伝送回路においては、信号を送信する送信端回路および送信端回路の接続状態に依拠して入力信号の不定期間Ｔｒ，Ｔｆが変化する。
【０２２３】
仮に、送信端回路２１１１からの伝送信号を用いて計測された入力信号の不定期間Ｔｒ，Ｔｆを用いて、送信端回路２１１２でクロック速度を決定して伝送信号を送信し、受信端回路２１２０で連続一致保護を実施したとする。この場合は、送信端回路２１１１から信号を送信した場合とは特性インピーダンスが異なり、反射ノイズが異なるため、適切な保護を行うことができず、誤動作を除去できない場合がある。
【０２２４】
（実施の形態５にかかる伝送装置の装置構成の一例）
図２２は、実施の形態５にかかる伝送装置の装置構成の一例を示す図である。図２２に示すように、実施の形態５にかかる伝送装置１００は、マザーボード２２１０と、複数のプラグインユニット２２２０（２２２０ａ〜２２２０ｊ）と、を有する。マザーボード２２１０は、受信端回路２２１１と、伝送路２２１２と、複数のコネクタ２２１３（２２１３ａ〜２２１３ｊ）と、を有する。
【０２２５】
図２１に示した送信端回路２１１１〜２１１ｎは、例えばプラグインユニット２２２０により実現することができる。図２１に示した受信端回路２１２０は、例えば受信端回路２２１１により実現することができる。図２１に示した伝送路２１０１は、例えば伝送路２２１２により実現することができる。
【０２２６】
複数のプラグインユニット２２２０のそれぞれは、送信信号を生成し、生成した送信信号を受信端回路２２１１に送信する回路である。例えば、複数のプラグインユニット２２２０のそれぞれは、送信信号を受信端回路２２１１へ送信する際に、受信端回路２２１１に対して通信開始通知をアサートしてから送信信号を受信端回路２２１１へ送信する。伝送路２２１２は、受信端回路２２１１と、各プラグインユニット２２２０とを接続し、相互間で信号を伝送するバスである。
【０２２７】
伝送路２２１２は、共通の信号線２２１２ａと、個別の信号線２２１２ｂと、を有する。共通の信号線２２１２ａは、例えば、プラグインユニット２２２０の送信端回路２２２１（２２２１ａ〜２２２１ｊ）から受信端回路２２１１へデータ信号を送る信号線である。図１に示した共通の信号線１０４は、共通の信号線２２１２ａによって実現することができる。
【０２２８】
個別の信号線２２１２ｂは、各プラグインユニット２２２０に割り当てられる。信号線２２１２ｂは、信号線２２１２ａを介して各プラグインユニット２２２０から送信されたデータ信号のレベルが受信端回路２２１１において不定となる不定期間の測定結果を、受信端回路２２１１から各プラグインユニット２２２０へ送る信号線である。図２において、個別の信号線２２１２ｂは、各プラグインユニット２２２０に割り当てられるが、各プラグインユニット２２２０に共通としてもよい。
【０２２９】
コネクタ２２１３（２２１３ａ〜２２１３ｊ）は、マザーボード２２１０上に、例えば１０個配置されている。コネクタ２２１３は、それぞれプラグインユニット２２２０のコネクタ２２２２（２２２２ａ〜２２２２ｊ）と接続可能な接続部である。
【０２３０】
プラグインユニット２２２０は、送信端回路２２２１とコネクタ２２２２とを有する。送信端回路２２２１は、マザーボード２２１０からの信号を受信する回路である。コネクタ２２２２は、マザーボード２２１０のコネクタ２２１３と接続可能な接続部である。
【０２３１】
プラグインユニット２２２０のそれぞれは、マザーボード２２１０に対して着脱自在である。例えば、プラグインユニット２２２０は、伝送装置１００の運用中に、マザーボード２２１０に接続されたり、マザーボード２２１０と切断されたりする。例えば、プラグインユニット２２２０は、マザーボード２２１０に対して最大で１０個接続される。プラグインユニット２２２０は、例えば、光モジュールによって実現することができる。
【０２３２】
（実施の形態５にかかる伝送装置の回路構成の一例）
図２３は、実施の形態５にかかる伝送装置の回路構成の一例を示す図である。図２３において、図３または図２２に示した部分と同様の部分については同一の符号を付して説明を省略する。図２３に示すように、マザーボード２２１０の受信端回路２２１１は、サンプリング回路３０１と、動作モード設定回路３０２と、不定領域測定回路３０３と、測定結果記憶回路２３０１と、測定結果選択回路２３０２と、連続一致保護回路３０４と、を有する。プラグインユニット２２２０の送信端回路２２２１は、クロック生成回路３１１と、出力信号生成回路３１２と、を有する。
【０２３３】
送信端Ａ１〜Ａ１０は、それぞれプラグインユニット２２２０ａ〜２２２０ｊにおけるコネクタ２２２２ａ〜２２２２ｊに対応する信号の送信端である。受信端Ｂは、受信端回路２２１１における信号の受信端である。
【０２３４】
サンプリング回路３０１は、プラグインユニット２２２０（２２２０ａ〜２２２０ｊ）の送信端回路２２２１（２２２１ａ〜２２２１ｊ）の送信端Ａ１〜Ａ１０から出力された信号をサンプリングする。
【０２３５】
伝送装置１００に対してプラグインユニット２２２０（送信端回路２２２１）が新たに追加されたり、伝送装置１００からプラグインユニット２２２０（送信端回路２２２１）が切断されたりすると、動作モード設定回路３０２に測定開始通知が発行される。
【０２３６】
不定領域測定回路３０３は、動作モード設定回路３０２から出力された動作モード信号が示す動作モードが「不定領域測定中」になると、送信端回路２２２１のうちの伝送装置１００に接続されている送信端回路を順次選択する。そして、不定領域測定回路３０３は、選択した送信端回路の不定期間Ｔｒ，Ｔｆを測定する。
【０２３７】
例えば、不定領域測定回路３０３は、選択した送信端回路に対して信号の送信を要求することにより、選択した送信端回路からサンプリング回路３０１へ信号を送信させる。これにより、不定領域測定回路３０３は、選択した送信端回路についてのサンプリング結果をサンプリング回路３０１から取得することができる。そして、不定領域測定回路３０３は、取得したサンプリング結果に基づいて、選択した送信端回路についての不定期間Ｔｒ，Ｔｆを測定する。
【０２３８】
不定領域測定回路３０３は、例えば、１台の送信端回路についての不定期間Ｔｒ，Ｔｆの測定が完了するごとに、動作モード設定回路３０２および測定結果記憶回路２３０１に測定完了通知を送信する。また、不定領域測定回路３０３は、送信端回路２２２１のうちの伝送装置１００に接続されている送信端回路ごとの不定期間Ｔｒ，Ｔｆの測定結果を測定結果記憶回路２３０１に送信する。
【０２３９】
測定結果記憶回路２３０１は、不定領域測定回路３０３から受信した、送信端回路２２２１ごとの不定期間Ｔｒ，Ｔｆの測定結果を保持（記憶）する。これにより、送信端回路２２２１のうちの伝送装置１００に接続されている送信端回路の全てについての不定期間Ｔｒ，Ｔｆの測定を行い、送信端回路２２２１ごとの測定結果を保持することができる。
【０２４０】
測定結果記憶回路２３０１によって保持された送信端回路２２２１ごとの不定期間Ｔｒ，Ｔｆの測定結果は、伝送装置１００に接続されている送信端回路のうちの測定対象の送信端回路２２２１のクロック生成回路３１１へ送信される。例えば、送信端回路２２２１ａについての不定期間Ｔｒ，Ｔｆの測定結果は、送信端回路２２２１ａのクロック生成回路３１１へ送信される。また、送信端回路２２２１ｂについての不定期間Ｔｒ，Ｔｆの測定結果は、送信端回路２２２１ｂのクロック生成回路３１１へ送信される。
【０２４１】
伝送装置１００に接続されている送信端回路のうち、受信端回路２２１１へ送信すべき信号がある送信端回路２２２１は、送信端回路２２２１の測定結果選択回路２３０２に対して通信開始通知をアサートする。そして、その送信端回路２２２１のクロック生成回路３１１は、測定結果記憶回路２３０１から受信した、その送信端回路２２２１についての不定期間Ｔｒ，Ｔｆの測定結果を参照してクロック速度を制御する。
【０２４２】
これに対して、測定結果選択回路２３０２は、測定結果選択回路２３０２に保持された不定期間Ｔｒ，Ｔｆの測定結果の中から、送信端回路２２２１のうちの通信開始通知をアサートした送信端回路２２２１に対応する測定結果を選択する。そして、測定結果選択回路２３０２は、選択した不定期間Ｔｒ，Ｔｆの測定結果を連続一致保護回路３０４へ出力する（測定結果選択出力）。連続一致保護回路３０４は、測定結果選択回路２３０２から受信した不定期間Ｔｒ，Ｔｆの測定結果に基づいて、サンプリング回路３０１から出力されたサンプリング後の入力信号の連続一致保護を行う。
【０２４３】
このように、測定開始通知を受信の都度、送信端回路ごとの不定期間Ｔｒ，Ｔｆを測定することで、伝送信号を送信する送信端回路ごとに伝送速度を最適に調整することが可能になる。これにより、受信端回路が受信できる伝送信号の量を向上することが可能になる。また、送信端回路を切断可能な多対一バス接続された伝送装置１００は、上述したように送信端回路の切断時よりも接続時の方が反射ノイズの電圧レベルが低く、入力信号の不定期間Ｔｒ，Ｔｆが短くなる特性がある。このため、接続された送信端回路が多い場合ほど、最適に調整された伝送速度を高く設定することが可能になり、受信端回路が受信できる伝送信号の量を向上することが可能になる。
【０２４４】
図１に示した取得部１１１は、例えば不定領域測定回路３０３、測定結果記憶回路２３０１および測定結果選択回路２３０２によって実現される。また、図１に示した第１制御部１１２は、連続一致保護回路３０４によって実現される。また、図１に示した第２制御部１１３は、不定領域測定回路３０３、測定結果記憶回路２３０１および測定結果選択回路２３０２によって実現される。例えば、不定領域測定回路３０３、測定結果記憶回路２３０１および測定結果選択回路２３０２が、不定期間Ｔｒ，Ｔｆの測定結果に応じたクロック信号の調整を指示する信号をクロック生成回路３１１へ送信することにより、第２制御部１１３の機能を実現する。
【０２４５】
図２３に示した伝送装置１００において、全ての送信端回路２２２１（プラグインユニット２２２０）が切断された場合の反射ノイズは、例えば図１０に示した反射ノイズと同様であり、入力信号の不定期間Ｔｒ，Ｔｆは例えばともに１［ｍＳ］である。
【０２４６】
図２３に示した伝送装置１００において、全ての送信端回路２２２１（プラグインユニット２２２０）が接続された場合の反射ノイズは、例えば図１１に示した反射ノイズと同様であり、入力信号の不定期間Ｔｒ，Ｔｆは例えばともに０．７［ｍＳ］である。
【０２４７】
（実施の形態５にかかる送信端回路ごとの不定期間の測定結果と伝送速度の計算結果）
図２４は、実施の形態５にかかる送信端回路ごとの不定期間の測定結果の一例を示す図である。図２５は、実施の形態５にかかる送信端回路ごとの伝送速度の計算結果の一例を示す図である。例えば測定結果記憶回路２３０１によって図２４に示す測定結果２４００が得られ、測定結果２４００が測定結果選択回路２３０２に保持されたとする。
【０２４８】
図２４に示す送信端回路＃１〜＃１０は、例えばそれぞれ図２３に示した送信端回路２２２１ａ〜２２２１ｊに相当する。測定結果２４００においては、伝送装置１００に接続されている送信端回路（送信端回路＃１〜＃１０）ごとに、不定期間Ｔｒ，Ｔｆの測定結果が対応付けられている。例えば送信端回路＃１の不定期間Ｔｒ，Ｔｆの測定結果はともに０．７［ｍＳ］である。また、送信端回路＃２の不定期間Ｔｒ，Ｔｆの測定結果はともに０．４［ｍＳ］である。
【０２４９】
従来のデジタル信号伝送回路は、反射ノイズの電圧レベルが最大となる場合（例えば図１０に例示した場合）に基づいて伝送速度が計算される。よって、入力信号の不定期間Ｔｒ，Ｔｆはともに１［ｍＳ］となる。また、Ｈレベル信号マスク保護時間およびＬレベル信号マスク保護時間はともに１［ｍＳ］、マージンは０．５［ｍＳ］とする。
【０２５０】
この場合に、従来の受信端回路に入力信号マスク保護を用いたデジタル信号伝送回路における受信端回路が受信できる伝送信号の伝送速度は、上記（２）式を用いて以下のように計算できる。
【０２５１】
Ｔｈ［ｂｐｓ］＝１／（Ｔｒ［Ｓ］＋Ｈレベル保護時間［Ｓ］＋Ｔｆ［Ｓ］＋Ｌレベル保護時間＋マージン［Ｓ］）＝１／（１［ｍＳ］＋１［ｍＳ］＋１［ｍＳ］＋１［ｍＳ］＋０．５［ｍＳ］）≒２２２．２［ｂｐｓ］
【０２５２】
一方、実施の形態５にかかる伝送装置１００では、１０台全ての送信端回路２２２１が接続された場合の伝送速度は図１１および図２４に例示した場合に基づいて計算される。例えば、送信端回路＃１からの伝送信号の伝送速度は、入力信号の不定期間Ｔｒ，Ｔｆはともに０．７［ｍＳ］、マージンは０．５［ｍＳ］とした場合に、上記（２）式を用いて以下のように計算できる。
【０２５３】
Ｔｈ［ｂｐｓ］＝１／（Ｔｒ［Ｓ］＋Ｈレベル保護時間［Ｓ］＋Ｔｆ［Ｓ］＋Ｌレベル保護時間＋マージン［Ｓ］）＝１／（０．７［ｍＳ］＋０．７［ｍＳ］＋０．７［ｍＳ］＋０．７［ｍＳ］＋０．５［ｍＳ］）≒３０３．０［ｂｐｓ］
【０２５４】
同様に送信端回路＃２〜＃１０について伝送速度を計算した結果を図２５の計算結果２５００に示す。例えば、送信端回路＃１より不定期間Ｔｒ，Ｔｆが短い送信端回路＃２については、送信端回路＃１の伝送速度（３０３．０［ｂｐｓ］）より高い伝送速度（４７６．２［ｂｐｓ］）が計算される。
【０２５５】
（実施の形態５にかかる動作モード設定回路の動作）
図２６は、実施の形態５にかかる動作モード設定回路の動作の一例を示すフローチャートである。実施の形態５にかかる動作モード設定回路３０２は、伝送装置１００に対して送信端回路＃１〜＃１０が接続され得る場合に、例えば図２６に示す各ステップを実行する。まず、動作モード設定回路３０２は、「不定領域非測定中」の動作モードとなり、測定開始通知を受信したか否かを判断する（ステップＳ２６０１）。
【０２５６】
ステップＳ２６０１において、測定開始通知を受信していない場合（ステップＳ２６０１：Ｎｏ）は、動作モード設定回路３０２は、「不定領域非測定中」の動作モードを維持し（ステップＳ２６０２）、ステップＳ２６０１へ戻る。測定開始通知を受信した場合（ステップＳ２６０１：Ｙｅｓ）は、動作モード設定回路３０２は、「不定領域測定中」の動作モードへ移行し、「ｎ」に「１」を設定する（ステップＳ２６０３）。「ｎ」は送信端回路＃１〜＃１０のインデックスである。
【０２５７】
次に、動作モード設定回路３０２は、送信端回路＃ｎが伝送装置１００に接続されているか否かを判断する（ステップＳ２６０４）。送信端回路＃ｎが接続されていない場合（ステップＳ２６０４：Ｎｏ）は、動作モード設定回路３０２は、ステップＳ２６０７へ移行する。送信端回路＃ｎが接続されている場合（ステップＳ２６０４：Ｙｅｓ）は、動作モード設定回路３０２は、送信端回路＃ｎについての不定期間Ｔｒ，Ｔｆを不定領域測定回路３０３に測定させる測定中の状態を維持する（ステップＳ２６０５）。
【０２５８】
次に、動作モード設定回路３０２は、送信端回路＃ｎについての測定完了通知を不定領域測定回路３０３から受信したか否かを判断する（ステップＳ２６０６）。測定完了通知を受信していない場合（ステップＳ２６０６：Ｎｏ）は、動作モード設定回路３０２は、ステップＳ２６０５へ戻る。測定完了通知を受信した場合（ステップＳ２６０６：Ｙｅｓ）は、動作モード設定回路３０２は、「ｎ」が１０に達したか否かを判断する（ステップＳ２６０７）。
【０２５９】
ステップＳ２６０７において、「ｎ」が１０に達していない場合（ステップＳ２６０７：Ｎｏ）は、伝送装置１００に接続された送信端回路の全てについての不定期間Ｔｒ，Ｔｆの測定が完了していないと判断することができる。この場合は、動作モード設定回路３０２は、「ｎ」に「１」を加算し（ステップＳ２６０８）、ステップＳ２６０４へ戻る。
【０２６０】
ステップＳ２６０７において、「ｎ」が１０に達した場合（ステップＳ２６０７：Ｙｅｓ）は、伝送装置１００に接続された送信端回路の全てについての不定期間Ｔｒ，Ｔｆの測定が完了したと判断することができる。この場合は、動作モード設定回路３０２は、「不定領域非測定中」の動作モードへ移行し、ステップＳ２６０１へ戻る。
【０２６１】
（実施の形態５にかかる測定結果記憶回路の動作）
図２７は、実施の形態５にかかる測定結果記憶回路の動作の一例を示すフローチャートである。実施の形態５にかかる測定結果記憶回路２３０１は、伝送装置１００に対して送信端回路＃１〜＃１０が接続され得る場合に、例えば図２７に示す各ステップを実行する。まず、測定結果記憶回路２３０１は、動作モード設定回路３０２の動作モードが「不定領域測定中」か否かを判断し（ステップＳ２７０１）、動作モード設定回路３０２の動作モードが「不定領域測定中」になるまで待つ（ステップＳ２７０１：Ｎｏのループ）。
【０２６２】
ステップＳ２７０１の判断は、例えば動作モード設定回路３０２から出力される動作モード信号に基づいて行うことができる。「不定領域測定中」である場合（ステップＳ２７０１：Ｙｅｓ）は、測定結果記憶回路２３０１は、送信端回路＃１〜＃１０のインデックスを示す「ｎ」に「１」を設定する（ステップＳ２７０２）。
【０２６３】
次に、測定結果記憶回路２３０１は、送信端回路＃ｎについての不定期間Ｔｒ，Ｔｆの測定中か否かを判断する（ステップＳ２７０３）。ステップＳ２７０３の判断は、例えば動作モード設定回路３０２や不定領域測定回路３０３の状態に基づいて行うことができる。送信端回路＃ｎについての不定期間Ｔｒ，Ｔｆの測定中でない場合（ステップＳ２７０３：Ｎｏ）は、測定結果記憶回路２３０１は、ステップＳ２７０６へ移行する。
【０２６４】
ステップＳ２７０３において、送信端回路＃ｎについての不定期間Ｔｒ，Ｔｆの測定中である場合（ステップＳ２７０３：Ｙｅｓ）は、測定結果記憶回路２３０１は、ステップＳ２７０４へ移行する。すなわち、測定結果記憶回路２３０１は、送信端回路＃ｎについての不定期間Ｔｒ，Ｔｆの測定完了通知を不定領域測定回路３０３から受信したか否かを判断し（ステップＳ２７０４）、測定完了通知を受信するまで待つ（ステップＳ２７０４：Ｎｏのループ）。
【０２６５】
ステップＳ２７０４において、測定完了通知を受信した場合（ステップＳ２７０４：Ｙｅｓ）は、測定結果記憶回路２３０１は、不定領域測定回路３０３から出力される送信端回路＃ｎについての不定期間Ｔｒ，Ｔｆの測定結果を保持する（ステップＳ２７０５）。次に、測定結果記憶回路２３０１は、「ｎ」が１０に達したか否かを判断する（ステップＳ２７０６）。
【０２６６】
ステップＳ２７０６において、「ｎ」が１０に達していない場合（ステップＳ２７０６：Ｎｏ）は、伝送装置１００に接続された送信端回路の全てについての測定結果を保持していないと判断することができる。この場合は、測定結果記憶回路２３０１は、「ｎ」に「１」を加算し（ステップＳ２７０７）、ステップＳ２７０３へ戻る。「ｎ」が１０に達した場合（ステップＳ２７０６：Ｙｅｓ）は、伝送装置１００に接続された送信端回路の全てについての測定結果を保持したと判断することができる。この場合は、測定結果記憶回路２３０１は、ステップＳ２７０１へ戻る。
【０２６７】
（実施の形態５にかかる測定結果選択回路）
図２８は、実施の形態５にかかる測定結果選択回路の一例を示す図である。図２３に示した測定結果選択回路２３０２は、例えば、図２８に示すように、論理積部２８０１〜２８１０（ＡＮＤ回路）と、論理和回路２８２０（ＯＲ回路）と、により実現することができる。論理積部２８０１〜２８１０の第１の入力部には、測定結果記憶回路２３０１から、それぞれ送信端回路＃１〜＃１０についての不定期間Ｔｒ，Ｔｆの測定結果が入力される。
【０２６８】
論理積部２８０１〜２８１０の第２の入力部には、それぞれ送信端回路＃１〜＃１０からの通信開始通知が入力される。論理積部２８０１〜２８１０のそれぞれは、第１の入力部と、第２の入力部と、の乗算結果を論理和回路２８２０へ出力する。すなわち、論理積部２８０１〜２８１０のそれぞれは、第２の入力部に通信開始通知が入力された場合にのみ、第１の入力部に入力された測定結果を論理和回路２８２０へ出力する。
【０２６９】
論理和回路２８２０は、論理積部２８０１〜２８１０からの加算結果を連続一致保護回路３０４（例えば図２３参照）へ出力する。これにより、測定結果記憶回路２３０１に保持された送信端回路ごとの測定結果の中から、通信開始通知をアサートした送信端回路の測定結果を選択して連続一致保護回路３０４へ出力することができる。
【０２７０】
このように、実施の形態５にかかる伝送装置１００によれば、共用信号線に送信端回路（第１通信装置）が複数接続可能である構成において、接続された送信端回路のそれぞれについて不定期間の長さを取得することができる。
【０２７１】
そして、接続された送信端回路のそれぞれについての不定期間の長さのうちの、受信端回路（第２通信装置）へ信号を送信する送信端回路についての不定期間の長さに基づき保護期間の長さを制御することができる。また、受信端回路へ信号を送信する送信端回路についての不定期間の長さに基づく保護期間の長さに応じて、送信端回路が受信端回路へ送信する信号の速度を制御することができる。
【０２７２】
したがって、共用信号線に送信端回路が複数接続可能である構成において、共用信号線に接続された送信端回路のうちの信号を送信する送信端回路についての不定期間の長さに基づいて保護期間の長さおよび伝送速度を制御することができる。これにより、例えば、送信端回路の接続状態と、いずれの送信端回路が信号を送信するのかと、の組み合わせに応じて変化する不定期間のうちの最長の期間を想定して保護時間を予め長く設定する構成に比べて保護時間を短く設定することができる。そして、設定した短い保護時間に合わせて伝送速度を高速にすることができる。このため、伝送速度の向上を図ることができる。
【０２７３】
（実施の形態５にかかる伝送装置の回路構成の他の一例）
図２９は、実施の形態５にかかる伝送装置の回路構成の他の一例を示す図である。図２９において、図２３に示した部分と同様の部分については同一の符号を付して説明を省略する。図２９に示すように、測定結果記憶回路２３０１によって保持された不定期間Ｔｒ，Ｔｆの測定結果は、測定結果記憶回路２３０１から送信端回路２２２１へ直接送信するのではなく、測定結果選択回路２３０２を介して送信端回路２２２１へ送信してもよい。
【０２７４】
この場合に、測定結果選択回路２３０２は、送信端回路２２２１のいずれかから通信開始通知がアサートされると、測定結果記憶回路２３０１によって保持された送信端回路２２２１ごとの不定期間Ｔｒ，Ｔｆの測定結果を取得する。また、測定結果選択回路２３０２は、取得した測定結果の中から選択した測定結果を、連続一致保護回路３０４と、通信開始通知をアサートした送信端回路２２２１のクロック生成回路３１１と、へ送信する。
【０２７５】
例えば、測定結果選択回路２３０２は、取得した測定結果のうちの最長の測定結果を選択する。また、不定期間Ｔｒ，Ｔｆのそれぞれについての測定結果が測定結果記憶回路２３０１に保持されるようにしてもよい。この場合は、測定結果選択回路２３０２は、例えば、送信端回路２２２１ごとの不定期間Ｔｒ，Ｔｆの測定結果の中から、不定期間Ｔｒ，Ｔｆの合計、平均または最大値が最大の測定結果を選択する。
【０２７６】
連続一致保護回路３０４は、測定結果選択回路２３０２から受信した不定期間Ｔｒ，Ｔｆの測定結果に基づいて、サンプリング回路３０１から出力されたサンプリング後の入力信号の連続一致保護を行う。通信開始通知をアサートした送信端回路２２２１のクロック生成回路３１１は、測定結果選択回路２３０２から受信した不定期間Ｔｒ，Ｔｆの測定結果を参照してクロック速度を制御する。
【０２７７】
これにより、受信端回路２２１１が受信できる伝送信号の量を増加させることができるとともに、送信端回路２２２１への測定結果の送信に要するシグナリング量を低減することが可能になる。例えば、測定結果選択回路２３０２は、送信端回路２２２１のいずれに対しても同一の測定結果を送信するため、送信端回路２２２１のそれぞれに共通の信号線（例えば信号線２２１２ａ）を用いて測定結果を送信することができる。
【０２７８】
通信開始通知をアサートした送信端回路２２２１に対して測定結果選択回路２３０２が選択した不定期間Ｔｒ，Ｔｆの測定結果を送信する構成について説明したが、このような構成に限らない。例えば、測定結果選択回路２３０２は、不定期間Ｔｒ，Ｔｆの測定が行われる都度、送信端回路２２２１ごとの不定期間Ｔｒ，Ｔｆの測定結果の中から選択した測定結果を送信端回路２２２１のそれぞれへ送信してもよい。
【０２７９】
このように、実施の形態５にかかる伝送装置１００において、接続された送信端回路のそれぞれについての不定期間の長さのうちの最長の長さに基づき保護期間の長さおよび伝送速度を制御してもよい。この場合も、共用信号線に送信端回路が複数接続可能である構成において、共用信号線に接続された送信端回路の各不定期間の長さのうちの最長の不定期間の長さに合わせて保護期間の長さおよび伝送速度を一律に制御することができる。
【０２８０】
これにより、例えば、送信端回路の接続状態に応じて変化する不定期間のうちの最長の期間を想定して保護時間を予め長く設定する構成に比べて保護時間を短く設定し、設定した短い保護時間に合わせて伝送速度を高速にすることができる。このため、伝送速度の向上を図ることができる。また、接続された送信端回路のそれぞれについての不定期間の長さのうちの最長の長さのみを他装置へ通知すればよいため、他装置への不定期間の長さの通知に要するシグナリング量を低減することが可能になる。
【０２８１】
（実施の形態５にかかる伝送装置の回路構成のさらに他の一例）
図３０は、実施の形態５にかかる伝送装置の回路構成のさらに他の一例を示す図である。図３０において、図２３，図２９に示した部分と同様の部分については同一の符号を付して説明を省略する。図３０に示すように、実施の形態５にかかる伝送装置１００は、図２３，図２９に示した測定結果記憶回路２３０１および測定結果選択回路２３０２に代えて測定結果選択記憶回路３００１を備えていてもよい。
【０２８２】
測定結果選択記憶回路３００１は、不定領域測定回路３０３から出力された不定期間Ｔｒ，Ｔｆの測定結果を１つのみ記憶する。また、測定結果選択記憶回路３００１は、不定領域測定回路３０３から不定期間Ｔｒ，Ｔｆの測定結果が新たに送信される都度、記憶している過去の測定結果と、不定領域測定回路３０３から新たに出力された測定結果と、を比較する。そして、測定結果選択記憶回路３００１は、比較した各測定結果のうちのより長い測定結果のみを保持し、比較した各測定結果のうちのより短い測定結果は破棄する。
【０２８３】
これにより、測定結果選択記憶回路３００１には、送信端回路２２２１ごとの不定期間Ｔｒ，Ｔｆの測定結果のうちの最長の測定結果のみが保持される。測定結果選択記憶回路３００１によって保持された測定結果は、連続一致保護回路３０４と、伝送装置１００に接続されている各送信端回路２２２１のクロック生成回路３１１と、へ送信される。
【０２８４】
連続一致保護回路３０４は、測定結果選択記憶回路３００１から受信した不定期間Ｔｒ，Ｔｆの測定結果に基づいて、サンプリング回路３０１から出力されたサンプリング後の入力信号の連続一致保護を行う。また、通信を行う送信端回路２２２１のクロック生成回路３１１は、測定結果選択記憶回路３００１から受信した不定期間Ｔｒ，Ｔｆの測定結果を参照してクロック速度を制御する。
【０２８５】
これにより、図２３，図２９に示した伝送装置１００と同様に、受信端回路２２１１が受信できる伝送信号の量を増加させることができるとともに、送信端回路２２２１への測定結果の送信に要するシグナリング量を低減することが可能になる。また、送信端回路２２２１ごとの不定期間Ｔｒ，Ｔｆの測定結果を保持しなくても最長の測定結果を選択することができるため、最長の測定結果の選択に要するメモリ容量を低減することができる。
【０２８６】
（実施の形態５にかかる測定結果選択記憶回路の動作）
図３１は、実施の形態５にかかる測定結果選択記憶回路の動作の一例を示すフローチャートである。図３０に示した測定結果選択記憶回路３００１は、伝送装置１００に対して送信端回路＃１〜＃１０が接続され得る場合に、例えば図３１に示す各ステップを実行する。図３１に示すステップＳ３１０１〜Ｓ３１０４は、図２７に示した測定結果記憶回路２３０１によるステップＳ２７０１〜Ｓ２７０４と同様である。
【０２８７】
ステップＳ３１０４において、測定完了通知を受信した場合（ステップＳ３１０４：Ｙｅｓ）は、測定結果選択記憶回路３００１は、ステップＳ３１０５へ移行する。すなわち、測定結果選択記憶回路３００１は、不定領域測定回路３０３から出力される送信端回路＃ｎについての新たな不定期間Ｔｒ，Ｔｆの測定結果が、現在保持している過去の不定期間Ｔｒ，Ｔｆの測定結果より長いか否かを判断する（ステップＳ３１０５）。なお、ｎ＝１の時点では測定結果選択記憶回路３００１は不定期間Ｔｒ，Ｔｆの測定結果を保持していないが、この場合は、測定結果選択記憶回路３００１は、新たな測定結果が保持している過去の測定結果より長いと判断する。
【０２８８】
ステップＳ３１０５において、新たな測定結果が保持している過去の測定結果より長くない場合（ステップＳ３１０５：Ｎｏ）は、測定結果選択記憶回路３００１は、ステップＳ３１０７へ移行する。新たな測定結果が保持している過去の測定結果より長い場合（ステップＳ３１０５：Ｙｅｓ）は、測定結果選択記憶回路３００１は、新たな不定期間Ｔｒ，Ｔｆの測定結果を保持し（ステップＳ３１０６）、ステップＳ３１０７へ移行する。ステップＳ３１０６において、測定結果選択記憶回路３００１は、以前保持していた過去の測定結果については破棄する。
【０２８９】
図３１に示すステップＳ３１０７，Ｓ３１０８は、図２７に示したステップＳ２７０６，Ｓ２７０７と同様である。ステップＳ３１０７において、「ｎ」が１０に達した場合（ステップＳ３１０７：Ｙｅｓ）は、測定結果選択記憶回路３００１は、現在保持している不定期間Ｔｒ，Ｔｆの測定結果を破棄し（ステップＳ３１０９）、ステップＳ３１０１へ戻る。
【０２９０】
このように、実施の形態５にかかる伝送装置１００は、不定期間の長さを新たに取得するごとに、新たに取得した不定期間の長さと、過去に取得した不定期間の長さと、を比較し、比較した各不定期間の長さのうちのより長い不定期間の長さのみを保持してもよい。そして、伝送装置１００は、保持した不定期間の長さに基づいて保護期間の長さおよび伝送速度を制御する。これにより、図２９に示した伝送装置１００と同様に最長の不定期間の長さに合わせて保護期間の長さおよび伝送速度を一律に制御することができるとともに、最長の不定期間の長さの選択に要するメモリ容量を低減することができる。
【０２９１】
また、実施の形態５は、上述した各実施の形態の構成と組み合わせて実施することも可能である。例えば、実施の形態５において、実施の形態３のように、信号変化点マスクパルス生成回路を用いてマスク保護時間を設定する構成としてもよい。
【０２９２】
また、実施の形態５において、実施の形態４のように、動作モード設定回路３０２および不定領域測定回路３０３が受信端回路２２１１ではなく送信端回路２２２１に含まれる構成としてもよい。この場合は、例えば図２３，図２９に示した測定結果記憶回路２３０１および測定結果選択回路２３０２や、図３０に示した測定結果選択記憶回路３００１も送信端回路２２２１に含める構成としてもよい。
【０２９３】
また、実施の形態５において、多対一バス接続の構成について説明したが、例えば実施の形態２〜４と、実施の形態５と、を組み合わせて多対多バス接続の構成としてもよい。この場合は、不定期間Ｔｒ，Ｔｆは、送信端回路および受信端回路の接続状態と、いずれの送信端回路からいずれの受信端回路へ信号を送信するのかと、の組み合わせに応じて変化する。これに対して、伝送装置１００は、例えば、信号を送信する送信端回路と、信号を受信する受信端回路と、の組み合わせごとに不定期間Ｔｒ，Ｔｆを測定する。
【０２９４】
そして、伝送装置１００は、送信端回路から受信端回路へ信号を送信する際に、それらの送信端回路および受信端回路の組み合わせに対応する不定期間Ｔｒ，Ｔｆの測定結果に基づいて保護期間の長さおよび伝送速度を制御する。または、伝送装置１００は、送信端回路から受信端回路へ信号を送信する際に、送信端回路および受信端回路の組み合わせごとに測定した不定期間Ｔｒ，Ｔｆの測定結果のうちの最長の測定結果に基づいて保護期間の長さおよび伝送速度を制御してもよい。
【０２９５】
上述した実施の形態１〜５に関し、さらに以下の付記を開示する。
【０２９６】
（付記１）複数の通信装置と接続可能な共用信号線を有する第１通信装置と、前記共用信号線に接続されるとともに前記共用信号線を介して受信した信号の論理レベルの判定を行う第２通信装置と、を制御する制御装置において、
前記第２通信装置から、前記信号のレベルが不定となる不定期間の長さを取得する取得部と、
受信した前記信号の論理レベルを変化させずに維持する保護期間の長さを前記不定期間の長さに基づいて制御する第１制御部と、
前記保護期間の長さに基づいて、前記第１通信装置が前記第２通信装置へ送信する信号の速度を制御する第２制御部と、
を有することを特徴とする制御装置。
【０２９７】
（付記２）前記取得部は、前記第１通信装置への通信装置の接続があった場合に、前記通信装置の接続の後の前記不定期間の長さを取得することを特徴とする付記１に記載の制御装置。
【０２９８】
（付記３）前記取得部は、前記第１通信装置からの通信装置の切断があった場合に、前記通信装置の切断の後の前記不定期間の長さを取得し、
前記第２通信装置は、前記第１通信装置から切断された通信装置と異なる通信装置である
ことを特徴とする付記１または２に記載の制御装置。
【０２９９】
（付記４）前記第２通信装置は、前記第２通信装置が前記第１通信装置から受信した信号の論理レベルが第１レベルから第２レベルに変化してから、前記第２通信装置が前記第１通信装置から受信した信号の論理レベルが所定期間の間連続して前記第２レベルとなるまで前記判定の結果を前記第１レベルにし、
前記第１制御部は、前記不定期間の長さに基づいて前記所定期間の長さを制御する
ことを特徴とする付記１〜３のいずれか一つに記載の制御装置。
【０３００】
（付記５）前記第２通信装置は、前記第２通信装置が前記第１通信装置から受信した信号の論理レベルが第１レベルから第２レベルに変化してから所定期間が経過するまで前記判定の結果を前記第２レベルにし、
前記第１制御部は、前記不定期間の長さに基づいて前記所定期間の長さを制御することを特徴とする付記１〜３のいずれか一つに記載の制御装置。
【０３０１】
（付記６）前記取得部は、前記第１通信装置が送信する信号の立ち上がりによる前記不定期間の長さ、または、前記第１通信装置が送信する信号の立ち下がりによる前記不定期間の長さ、のうちの少なくともいずれか一方を取得することを特徴とする付記１〜５のいずれか一つに記載の制御装置。
【０３０２】
（付記７）前記第２通信装置は、前記第１通信装置に接続されている複数の通信装置のうちの前記共用信号線上における前記第１通信装置からの伝送距離が最も小さい通信装置であることを特徴とする付記１〜６のいずれか一つに記載の制御装置。
【０３０３】
（付記８）前記第２通信装置は、前記第１通信装置に接続されている複数の通信装置であり、
前記取得部は、前記第２通信装置のそれぞれについて前記不定期間の長さを取得し、
前記第１制御部は、前記取得部によって取得された前記不定期間の長さのうちの最長の長さに基づいて、前記保護期間の長さを制御し、
前記第２制御部は、前記保護期間の長さに基づいて、前記第１通信装置が前記第２通信装置へ送信する信号の速度を制御する
ことを特徴とする付記１〜６のいずれか一つに記載の制御装置。
【０３０４】
（付記９）前記取得部は、前記不定期間の長さの複数回の測定結果を取得し、
前記第１制御部は、前記取得部によって取得された前記測定結果が示す前記不定期間の長さのうちの最長の長さに基づいて、前記保護期間の長さを制御し、
前記第２制御部は、前記保護期間の長さに基づいて、前記第１通信装置が前記第２通信装置へ送信する信号の速度を制御する
ことを特徴とする付記１〜８のいずれか一つに記載の制御装置。
【０３０５】
（付記１０）前記第１制御部は、前記取得部によって取得された前記不定期間の長さが短いほど、前記保護期間の長さを短くし、
前記第２制御部は、前記保護期間の長さが短いほど、前記第１通信装置が前記第２通信装置へ送信する信号を高速にする
ことを特徴とする付記１〜９のいずれか一つに記載の制御装置。
【０３０６】
（付記１１）前記第１通信装置または前記第２通信装置に設けられていることを特徴とする付記１〜１０のいずれか一つに記載の制御装置。
【０３０７】
（付記１２）前記共用信号線には前記第１通信装置を複数接続可能であり、
前記取得部は、前記共用信号線に接続された前記第１通信装置のそれぞれについて前記不定期間の長さを取得し、
前記第１制御部は、前記取得部によって取得された前記不定期間の長さのうちの、前記第２通信装置へ信号を送信する前記第１通信装置についての不定期間の長さに基づいて前記保護期間の長さを制御し、
前記第２制御部は、前記第２通信装置へ信号を送信する前記第１通信装置についての不定期間の長さに基づく前記保護期間の長さに応じて、前記第１通信装置が前記第２通信装置へ送信する信号の速度を制御する
ことを特徴とする付記１〜１１のいずれか一つに記載の制御装置。
【０３０８】
（付記１３）前記共用信号線には前記第１通信装置を複数接続可能であり、
前記取得部は、前記共用信号線に接続された前記第１通信装置のそれぞれについて前記不定期間の長さを取得し、
前記第１制御部は、前記取得部によって取得された前記不定期間の長さのうちの最長の長さに基づいて前記保護期間の長さを制御し、
前記第２制御部は、前記第２通信装置へ信号を送信する前記第１通信装置についての不定期間の長さに基づく前記保護期間の長さに応じて、前記第１通信装置が前記第２通信装置へ送信する信号の速度を制御する
ことを特徴とする付記１〜１１のいずれか一つに記載の制御装置。
【０３０９】
（付記１４）前記取得部は、前記不定期間の長さを新たに取得するごとに、新たに取得した前記不定期間の長さと、過去に取得した前記不定期間の長さと、を比較し、比較した各不定期間の長さのうちのより長い不定期間の長さのみを保持し、
前記第１制御部は、前記取得部によって保持された前記不定期間の長さに基づいて前記保護期間の長さを制御し、
前記第２制御部は、前記取得部によって保持された前記不定期間の長さに基づく前記保護期間の長さに応じて、前記第１通信装置が前記第２通信装置へ送信する信号の速度を制御する
ことを特徴とする付記１３に記載の制御装置。
【０３１０】
（付記１５）複数の通信装置と接続可能な共用信号線を有する第１通信装置と、
前記共用信号線に接続されるとともに前記共用信号線を介して受信した信号の論理レベルの判定を行う第２通信装置と、
前記第２通信装置から、前記信号のレベルが不定となる不定期間の長さを取得し、受信した前記信号の論理レベルを変化させずに維持する保護期間の長さを前記不定期間の長さに基づいて制御し、前記保護期間の長さに基づいて、前記第１通信装置が前記第２通信装置へ送信する信号の速度を制御する制御装置と、
を有することを特徴とする電子機器。
【０３１１】
（付記１６）複数の通信装置と接続可能な共用信号線を有する第１通信装置と、前記共用信号線に接続されるとともに前記共用信号線を介して受信した信号の論理レベルの判定を行う第２通信装置と、を制御する制御装置の制御方法において、
前記第２通信装置から、前記信号のレベルが不定となる不定期間の長さを取得し、
受信した前記信号の論理レベルを変化させずに維持する保護期間の長さを前記不定期間の長さに基づいて制御し、
前記保護期間の長さに基づいて、前記第１通信装置が前記第２通信装置へ送信する信号の速度を制御する
ことを特徴とする制御方法。
【符号の説明】
【０３１２】
１００  伝送装置
１０１  第１通信装置
１０２  第２通信装置
１０２ａ  所定の通信装置
１０４，２１２ａ，２１２ｂ，２２１２ａ，２２１２ｂ  信号線
１１０  制御装置
１１１  取得部
１１２  第１制御部
１１３  第２制御部
２１０，２２１０  マザーボード
２１１，２１１１〜２１１ｎ，２２２１（２２２１ａ〜２２２１ｊ）  送信端回路
２１２，２１０１，２２１２  伝送路
２１３，２２２，２２１３（２２１３ａ〜２２１３ｉ），２２２２（２２２２ａ〜２２２２ｊ）  コネクタ
２２０，２２２０（２２２０ａ〜２２２０ｊ）  プラグインユニット
２２１（２２１ａ〜２２１ｊ），２１２０，２２１１  受信端回路
３０１，２００１  サンプリング回路
３０２  動作モード設定回路
３０３  不定領域測定回路
３０４  連続一致保護回路
３１１  クロック生成回路
３１２  出力信号生成回路
５０１，１２０１，１２１１，１９０１，１９１１  出力信号
５０２〜５０４，１００１，１１０１，１２０２〜１２０４，１２１２〜１２１４，１６０３，１９０２，１９０３，１９０６，１９１２，１９１３，１９１６  入力信号
６０１，６１４，１７０１  フリップフロップ回路
６１１  シフトレジスタ
６１２  Ｔｒエンコード部
６１３  Ｔｆエンコード部
８０１  Ｔｒ計測カウンタ
８０２  Ｔｒ測定結果
８０３  Ｔｆ計測カウンタ
８０４  Ｔｆ測定結果
１５０１  信号変化点検出回路
１５０２  信号変化点マスクパルス生成回路
１６０１，１９０４，１９１４  信号変化点検出パルス
１６０２，１９０５，１９１５  信号変化点マスクパルス
１７０２  論理回路
１７１１  カウンタ
１７１２  セレクタ
１７１３  マグニチュードコンパレータ
２３０１  測定結果記憶回路
２３０２  測定結果選択回路
２４００  測定結果
２５００  計算結果
２８０１〜２８１０  論理積部
２８２０  論理和回路
３００１  測定結果選択記憶回路
【図１】
2016105575.tif 000003
【図２】
2016105575.tif 000004
【図３】
2016105575.tif 000005
【図４】
2016105575.tif 000006
【図５】
2016105575.tif 000007
【図６】
2016105575.tif 000008
【図７】
2016105575.tif 000009
【図８】
2016105575.tif 000010
【図９】
2016105575.tif 000011
【図１０】
2016105575.tif 000012
【図１１】
2016105575.tif 000013
【図１２】
2016105575.tif 000014
【図１３】
2016105575.tif 000015
【図１４】
2016105575.tif 000016
【図１５】
2016105575.tif 000017
【図１６】
2016105575.tif 000018
【図１７】
2016105575.tif 000019
【図１８】
2016105575.tif 000020
【図１９】
2016105575.tif 000021
【図２０】
2016105575.tif 000022
【図２１】
2016105575.tif 000023
【図２２】
2016105575.tif 000024
【図２３】
2016105575.tif 000025
【図２４】
2016105575.tif 000026
【図２５】
2016105575.tif 000027
【図２６】
2016105575.tif 000028
【図２７】
2016105575.tif 000029
【図２８】
2016105575.tif 000030
【図２９】
2016105575.tif 000031
【図３０】
2016105575.tif 000032
【図３１】
2016105575.tif 000033